(57)【要約】ワイヤレス通信のための方法、システム、およびデバイスが説明される。ユーザ機器（ＵＥ）は、サブフレーム中に送信すべきアップリンク（ＵＬ）制御情報（ＵＣＩ）を識別し得る。次いで、ＵＥは、共有データおよび制御ＵＬチャネルがコンテンションベーススケジューリングを用いるかどうかに基づいて、ＵＣＩを送信するＵＬチャネルを選択し得る。例えば、複数のＵＥが、同一の半永続スケジューリング（ＳＰＳ）された物理ＵＬ共有チャネル（ＰＵＳＣＨ）へのアクセスを求めて競い得る。各ＵＥは、それらの送信を識別するために、異なる復調基準（ＤＭＲＳ）信号サイクリックシフトを利用し得る。いくつかのケースでは、チャネル状態情報（ＣＳＩ）のようないくつかのＵＣＩは、コンテンションベースＰＵＳＣＨ上で送信され得、確認応答情報のような他のＵＣＩは、物理アップリンク制御チャネル（ＰＵＣＣＨ）上で送信され得る。いくつかのケースでは、チャネル選択は、基地局から受信された構成に基づき得る。
2019502312.tif 000002
【特許請求の範囲】
【請求項１】
ワイヤレス通信の方法であって、
サブフレーム中に送信すべきアップリンク（ＵＬ）制御情報（ＵＣＩ）を識別することと、
前記サブフレーム中にＵＬデータチャネルに関するスケジューリングタイプを識別することと、
前記スケジューリングタイプに少なくとも部分的に基づいて、前記ＵＬデータチャネル上で前記ＵＣＩを送信するかどうかを決定することと
を備える方法。
【請求項２】
前記ＵＬデータチャネルに対するグラントを受信すること、ここにおいて、前記スケジューリングタイプは、前記グラントに少なくとも部分的に基づいて識別される、
をさらに備える、請求項１に記載の方法。
【請求項３】
前記ＵＬチャネルの半永続スケジューリング（ＳＰＳ）のための構成またはアクティベーションメッセージのうちの少なくとも１つを受信すること、ここにおいて、前記スケジューリングタイプは、前記ＳＰＳに少なくとも部分的に基づいて識別される、
をさらに備える、請求項１に記載の方法。
【請求項４】
前記スケジューリングタイプは、少なくともコンテンションベーススケジューリングタイプおよび非コンテンションベーススケジューリングタイプからなる、請求項１に記載の方法。
【請求項５】
物理ハイブリッド自動再送要求（ＨＡＲＱ）インジケータチャネル（ＰＨＩＣＨ）モニタリングが前記ＳＰＳに対してディセーブルであると決定することと、
ＰＨＩＣＨモニタリングがディセーブルであるとの前記決定に少なくとも部分的に基づいて、ＰＨＩＣＨをモニタすることを控えることと
をさらに備える、請求項３に記載の方法。
【請求項６】
無線リソース制御（ＲＲＣ）構成メッセージにおいてＰＨＩＣＨモニタリングインジケーションを受信すること、ここにおいて、ＰＨＩＣＨモニタリングがディセーブルであるとの前記決定は、前記ＰＨＩＣＨモニタリングインジケーションに少なくとも部分的に基づく、
をさらに備える、請求項５に記載の方法。
【請求項７】
ＰＨＩＣＨモニタリングがディセーブルであるとの前記決定は、復調基準信号（ＤＭＲＳ）サイクリックシフトが構成されているかどうかに少なくとも部分的に基づく、請求項５に記載の方法。
【請求項８】
ＤＭＲＳサイクリックシフトに少なくとも部分的に基づいて、前記ＳＰＳのためのＰＨＩＣＨリソースのセットを識別することと、
ＰＨＩＣＨリソースの前記セットをモニタすることと
をさらに備える、請求項３に記載の方法。
【請求項９】
前記ＳＰＳの周期性を識別することと、
前記ＳＰＳの前記周期性に少なくとも部分的に基づいて、送信時間間隔（ＴＴＩ）バンドリングがサポートされるかどうかを決定することと
をさらに備える、請求項３に記載の方法。
【請求項１０】
前記ＵＬデータチャネルの前記ＳＰＳは、物理アップリンク制御チャネル（ＰＵＣＣＨ）グループのプライマリセル（ＰＣｅｌｌ）のために構成される、請求項３に記載の方法。
【請求項１１】
デュアル接続性構成のための物理アップリンク共有チャネル（ＰＵＳＣＨ）選択パラメータを識別することと、
前記ＰＵＳＣＨ選択パラメータに少なくとも部分的に基づいて、前記デュアル接続性構成のセルを選択することと、ここにおいて、前記ＵＬデータチャネルは、前記選択されたセルに関連する、
をさらに備える、請求項３に記載の方法。
【請求項１２】
前記ＵＣＩの情報タイプに少なくとも部分的に基づいて、前記ＵＬデータチャネル上で前記ＵＣＩを送信するかどうかを決定すること
をさらに備える、請求項１に記載の方法。
【請求項１３】
前記スケジューリングタイプを示す無線リソース制御（ＲＲＣ）構成メッセージを受信すること
をさらに備える、請求項１に記載の方法。
【請求項１４】
前記スケジューリングタイプのためのＤＭＲＳサイクリックシフトの構成を受信すること
をさらに備える、請求項１に記載の方法。
【請求項１５】
前記スケジューリングタイプに少なくとも部分的に基づいて、１つまたは複数のダウンリンク（ＤＬ）制御情報（ＤＣＩ）サーチパラメータを識別することと、
前記１つまたは複数のＤＣＩサーチパラメータに少なくとも部分的に基づいて、ＵＥ固有サーチスペースをモニタすることと
をさらに備える、請求項１に記載の方法。
【請求項１６】
前記スケジューリングタイプに少なくとも部分的に基づいて、前記ＵＬデータチャネルのためのコンテンションプロシージャを実行することと、
前記コンテンションプロシージャと、前記ＵＬチャネル上で前記ＵＣＩを送信するかどうかの前記決定とに少なくとも部分的に基づいて、前記ＵＬデータチャネル上で前記ＵＣＩを送信することと
をさらに備える、請求項１に記載の方法。
【請求項１７】
前記スケジューリングタイプに少なくとも部分的に基づいて、前記ＵＬデータチャネル上で前記ＵＣＩを送信することを控えること
をさらに備える、請求項１に記載の方法。
【請求項１８】
ワイヤレス通信の方法であって、
アップリンク（ＵＬ）制御情報（ＵＣＩ）ハンドリング構成を示す制御メッセージをユーザ機器（ＵＥ）に送信することと、
サブフレーム中にＵＬデータチャネルに関するスケジューリングタイプを識別することと、
前記ＵＥから前記ＵＣＩを受信することと、ここにおいて、前記ＵＣＩは、前記ＵＣＩハンドリング構成と前記スケジューリングタイプとに少なくとも部分的に基づいて送信される、
を備える方法。
【請求項１９】
前記ＵＬチャネルに対するグラントを送信すること、ここにおいて、前記スケジューリングタイプは、前記グラントに少なくとも部分的に基づく、
前記ＵＬチャネルの半永続スケジューリング（ＳＰＳ）のためのアクティベーションメッセージを送信すること、ここにおいて、前記スケジューリングタイプは、前記ＳＰＳに少なくとも部分的に基づく、または
前記スケジューリングタイプがコンテンションベーススケジューリングタイプを含むことを示す無線リソース制御（ＲＲＣ）構成メッセージを送信すること
のうちの少なくとも１つをさらに備える、請求項１８に記載の方法。
【請求項２０】
物理ハイブリッド自動再送要求（ＨＡＲＱ）インジケータチャネル（ＰＨＩＣＨ）モニタリングが前記ＳＰＳに対してディセーブルであることを示す追加の制御メッセージを送信すること
をさらに備える、請求項１８に記載の方法。
【請求項２１】
前記スケジューリングタイプのための復調基準信号（ＤＭＲＳ）サイクリックシフトを示す構成メッセージを送信すること
をさらに備える、請求項１８に記載の方法。
【請求項２２】
ワイヤレス通信のための装置であって、
サブフレーム中に送信すべきアップリンク（ＵＬ）制御情報（ＵＣＩ）を識別するための手段と、
前記サブフレーム中にＵＬデータチャネルに関するスケジューリングタイプを識別すための手段と、
前記スケジューリングタイプに少なくとも部分的に基づいて、前記ＵＬデータチャネル上で前記ＵＣＩを送信するかどうかを決定するための手段と
を備える装置。
【請求項２３】
前記ＵＬチャネルに対するグラントを受信するための手段、ここにおいて、前記スケジューリングタイプは、前記グラントに少なくとも部分的に基づいて識別される、
をさらに備える、請求項２２に記載の装置。
【請求項２４】
前記ＵＬチャネルの半永続スケジューリング（ＳＰＳ）のための構成またはアクティベーションメッセージのうちの少なくとも１つを受信するための手段、ここにおいて、前記スケジューリングタイプは、前記ＳＰＳに少なくとも部分的に基づいて識別される、
をさらに備える、請求項２２に記載の装置。
【請求項２５】
前記ＵＣＩの情報タイプに少なくとも部分的に基づいて、前記ＵＬデータチャネル上で前記ＵＣＩを送信するかどうかを決定するための手段
をさらに備える、請求項２２に記載の装置。
【請求項２６】
前記スケジューリングタイプを示す無線リソース制御（ＲＲＣ）構成メッセージを受信するための手段
をさらに備える、請求項２２に記載の装置。
【請求項２７】
ワイヤレス通信のための装置であって、
ＵＬ制御情報（ＵＣＩ）ハンドリング構成を示す制御メッセージをユーザ機器（ＵＥ）に送信するための手段と、
サブフレーム中にＵＬデータチャネルに関するスケジューリングタイプを識別するための手段と、前記スケジューリングタイプは、コンテンションベーススケジューリングタイプまたは非コンテンションベーススケジューリングタイプである、
前記ＵＥから前記ＵＣＩを受信するための手段と、ここにおいて、前記ＵＣＩは、前記ＵＣＩハンドリング構成と前記スケジューリングタイプとに少なくとも部分的に基づいて送信される、
を備える装置。
【請求項２８】
前記ＵＬチャネルに対するグラントを送信するための手段、ここにおいて、前記スケジューリングタイプは、前記グラントに少なくとも部分的に基づく、
前記ＵＬチャネルの半永続スケジューリング（ＳＰＳ）のためのアクティベーションメッセージを送信するための手段、ここにおいて、前記スケジューリングタイプは、前記ＳＰＳに少なくとも部分的に基づく、または
前記スケジューリングタイプがコンテンションベーススケジューリングタイプを含むことを示す無線リソース制御（ＲＲＣ）構成メッセージを送信するための手段
のうちの少なくとも１つをさらに備える、請求項２７に記載の装置。
【請求項２９】
物理ハイブリッド自動再送要求（ＨＡＲＱ）インジケータチャネル（ＰＨＩＣＨ）モニタリングが前記ＳＰＳに対してディセーブルであることを示す追加の制御メッセージを送信するための手段
をさらに備える、請求項２７に記載の装置。
【請求項３０】
前記スケジューリングタイプのための復調基準信号（ＤＭＲＳ）サイクリックシフトを示す構成メッセージを送信するための手段
をさらに備える、請求項２７に記載の装置。
【発明の詳細な説明】
【相互参照】
【０００１】
[0001]本願は、２０１６年１１月２２日に出願された、Chen等による「Contention-Based Physical Uplink Shared Channel」と題する米国特許出願第１５／３５９，３４０号および２０１５年１２月１６日に出願された、Chen等による「Contention-Based Physical Uplink Shared Channel」と題する米国仮特許出願第６２／２６８，３２５号の優先権を主張し、それらは各々、本願の譲受人に譲渡される。
【背景技術】
【０００２】
[0002]下記は一般に、ワイヤレス通信に関し、より具体的には、コンテンションベース物理アップリンク共有チャネル（ＰＵＳＣＨ）に関する。
【０００３】
[0003]ワイヤレス通信システムは、音声、ビデオ、パケットデータ、メッセージング、ブロードキャスト、等の様々なタイプの通信コンテンツを提供するために広く展開されている。これらのシステムは、利用可能なシステムリソース（例えば、時間、周波数、および電力）を共有することで複数の（multiple）ユーザとの通信をサポートする能力があり得る。このような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]ワイヤレス多元接続技術は、異なるワイヤレスデバイスが都市、国家、地域、さらには地球規模で通信することを可能にする共通プロトコルを提供するために、様々な電気通信規格に採用されている。例となる電気通信規格は、ロングタームエボリューション（ＬＴＥ（登録商標））である。ＬＴＥは、スペクトル効率を改善し、コストを下げ、サービスを改善し、新しいスペクトルを利用し、他のオープン規格とより良好に統合されるように設計される。ＬＴＥは、ダウンリンク（ＤＬ）ではＯＦＤＭＡ、アップリンク（ＵＬ）上ではシングルキャリア周波数分割多元接続（ＳＣ−ＦＤＭＡ）、および多入力多出力（ＭＩＭＯ）アンテナ技術を使用し得る。ＬＴＥ規格にしたがって動作するシステムを含むワイヤレス多元接続通信システムは、別名ユーザ機器（ＵＥ）として知られ得る複数の通信デバイスのための通信を各々が同時にサポートする複数の（a number of）基地局を含み得る。
【０００５】
[0005]アップリンク制御情報（ＵＣＩ）は、確認応答データまたはチャネル状態情報（ＣＳＩ）のようなデータを基地局に送信するために、ＵＥによって使用され得る。ＵＣＩは、物理アップリンク制御チャネル（ＰＵＣＣＨ）または物理アップリンク共有チャネル（ＰＵＳＣＨ）上のリソースを使用して送信され得る。いくつかのケースでは、ＵＣＩは、複数のＵＥに割り当てられたリソース上で送信され得るが、そのようなリソースは、いくつかの状況では、ＵＣＩを送信するのに不適切または望ましくない可能性がある。さらに、アップリンクリソースは、半永続グラントにしたがってスケジューリングされ得るが、これは、送信すべきＵＬデータをＵＥが有さない場合または異なるＵＥからの送信間の衝突が解消されない場合、未使用リソースをもたらし得る。
【発明の概要】
【０００６】
[0006]ユーザ機器（ＵＥ）は、サブフレーム中に送信すべきアップリンク（ＵＬ）制御情報（ＵＣＩ）を識別し得る。次いで、ＵＥは、共有（例えば、データ）ＵＬチャネルがコンテンションベーススケジューリングを使用するかどうかに基づいて、ＵＣＩを送信するＵＬチャネルを選択し得る。例えば、複数のＵＥが、同一の半永続スケジューリング（ＳＰＳ）された物理ＵＬ共有チャネル（ＰＵＳＣＨ）へのアクセスを求めて競い得る。各ＵＥは、それらの送信を識別するために、異なる復調基準（ＤＭＲＳ）信号サイクリックシフトを利用し得る。いくつかのケースでは、チャネル状態情報（ＣＳＩ）のようないくつかのＵＣＩは、コンテンションベースＰＵＳＣＨ上で送信され得、確認応答情報のような他のＵＣＩは、物理アップリンク制御チャネル（ＰＵＣＣＨ）上で送信され得る。いくつかのケースでは、チャネル選択は、基地局から受信された構成に基づき得る。
【０００７】
[0007]ワイヤレス通信の方法が説明される。方法は、サブフレーム中に送信すべきアップリンク（ＵＬ）制御情報（ＵＣＩ）を識別することと、サブフレーム中にＵＬデータチャネルに関するスケジューリングタイプを識別することと、スケジューリングタイプに少なくとも部分的に基づいて、ＵＬデータチャネル上でアップリンク制御情報（ＵＣＩ）を送信するかどうかを決定することとを含み得る。
【０００８】
[0008]ワイヤレス通信のための装置が説明される。装置は、サブフレーム中に送信すべきＵＬ制御情報（ＵＣＩ）を識別するための手段と、サブフレーム中にＵＬデータチャネルに関するスケジューリングタイプを識別するための手段と、スケジューリングタイプに少なくとも部分的に基づいて、ＵＬデータチャネル上でＵＣＩを送信するかどうかを決定するための手段とを含み得る。
【０００９】
[0009]さらなる装置が説明される。装置は、プロセッサと、このプロセッサと電子通信状態にあるメモリと、このメモリに記憶された命令とを含み得る。命令は、プロセッサによって実行されると、サブフレーム中に送信すべきＵＬ制御情報（ＵＣＩ）を識別することと、サブフレーム中にＵＬデータチャネルに関するスケジューリングタイプを識別することと、スケジューリングタイプに少なくとも部分的に基づいて、ＵＬデータチャネル上でＵＣＩを送信するかどうかを決定することとを装置に行わせるように動作可能であり得る。
【００１０】
[0010]ワイヤレス通信のための非一時的なコンピュータ読取可能な媒体が説明される。非一時的なコンピュータ読取可能な媒体は、サブフレーム中に送信すべきＵＬ制御情報（ＵＣＩ）を識別することと、サブフレーム中にＵＬデータチャネルに関するスケジューリングタイプを識別することと、ここで、スケジューリングタイプは、コンテンションベーススケジューリングタイプまたは非コンテンションベーススケジューリングタイプを備える、スケジューリングタイプに基づいて、ＵＬデータチャネル上でＵＣＩを送信するかどうかを決定することとをプロセッサに行わせるための命令を含み得る。
【００１１】
[0011]上で説明した方法、装置、または非一時的なコンピュータ読取可能な媒体のいくつかの例は、ＵＬチャネルに対するグラントを受信するためのプロセス、特徴、手段、または命令をさらに含み得、ここで、スケジューリングタイプは、グラントに基づいて識別される。
【００１２】
[0012]上で説明した方法、装置、または非一時的なコンピュータ読取可能な媒体のいくつかの例は、ＵＬチャネルの半永続スケジューリング（ＳＰＳ）のための構成またはアクティベーションメッセージのうちの少なくとも１つを受信するためのプロセス、特徴、手段、または命令をさらに含み得、ここで、スケジューリングタイプは、ＳＰＳに基づいて識別される。上で説明した方法、装置、または非一時的なコンピュータ読取可能な媒体のいくつかの例は、スケジューリングタイプが少なくともコンテンションベーススケジューリングタイプおよび非コンテンションベーススケジューリングタイプからなる場合をさらに含み得る。
【００１３】
[0013]上で説明した方法、装置、または非一時的なコンピュータ読取可能な媒体のいくつかの例は、物理（ＰＨＹ）ハイブリッド自動再送要求（ＨＡＲＱ）インジケータチャネル（ＰＨＩＣＨ）モニタリングがＳＰＳに対してディセーブルであることを決定するためのプロセス、特徴、手段、または命令をさらに含み得る。上で説明した方法、装置、または非一時的なコンピュータ読取可能な媒体のいくつかの例は、ＰＨＩＣＨモニタリングがディセーブルであるとの決定に基づいて、物理ＨＡＲＱインジケータチャネル（ＰＨＩＣＨ）をモニタすることを控えるためのプロセス、特徴、手段、または命令をさらに含み得る。
【００１４】
[0014]上で説明した方法、装置、または非一時的なコンピュータ読取可能な媒体のいくつかの例は、無線リソース制御（ＲＲＣ）構成メッセージにおいてＰＨＩＣＨモニタリングインジケーションを受信するためのプロセス、特徴、手段、または命令をさらに含み得、ここで、ＰＨＩＣＨモニタリングがディセーブルであるとの決定は、ＰＨＩＣＨモニタリングインジケーションに基づく。
【００１５】
[0015]上で説明した方法、装置、または非一時的なコンピュータ読取可能な媒体のいくつかの例では、ＰＨＩＣＨモニタリングがディセーブルであるとの決定は、復調基準信号（ＤＭＲＳ）サイクリックシフトが構成されているかどうかに基づく。
【００１６】
[0016]上で説明した方法、装置、または非一時的なコンピュータ読取可能な媒体のいくつかの例は、ＤＭＲＳサイクリックシフトに基づいて、ＳＰＳのためのＰＨＩＣＨリソースのセットを識別するためのプロセス、特徴、手段、または命令をさらに含み得る。上で説明した方法、装置、または非一時的なコンピュータ読取可能な媒体のいくつかの例は、ＰＨＩＣＨリソースのセットをモニタするためのプロセス、特徴、手段、または命令をさらに含み得る。
【００１７】
[0017]上で説明した方法、装置、または非一時的なコンピュータ読取可能な媒体のいくつかの例は、ＳＰＳの周期性を識別するためのプロセス、特徴、手段、または命令をさらに含み得る。上で説明した方法、装置、または非一時的なコンピュータ読取可能な媒体のいくつかの例は、ＳＰＳの周期性に基づいて、送信時間間隔（ＴＴＩ）バンドリングがサポートされるかどうかを決定するためのプロセス、特徴、手段、または命令をさらに含み得る。
【００１８】
[0018]上で説明した方法、装置、または非一時的なコンピュータ読取可能な媒体のいくつかの例では、ＵＬデータチャネルのＳＰＳは、物理アップリンク制御チャネル（ＰＵＣＣＨ）グループのプライマリセル（ＰＣｅｌｌ）のために構成されている。
【００１９】
[0019]上で説明した方法、装置、または非一時的なコンピュータ読取可能な媒体のいくつかの例は、デュアル接続性構成のための物理アップリンク共有チャネル（ＰＵＳＣＨ）選択パラメータを識別するためのプロセス、特徴、手段、または命令をさらに含み得る。上で説明した方法、装置、または非一時的なコンピュータ読取可能な媒体のいくつかの例は、ＰＵＳＣＨ選択パラメータに基づいて、デュアル接続性構成のセルを選択するためのプロセス、特徴、手段、または命令をさらに含み得、ここで、ＵＬデータチャネルは、選択されたセルに関連する。
【００２０】
[0020]上で説明した方法、装置、または非一時的なコンピュータ読取可能な媒体のいくつかの例は、ＵＣＩの情報タイプに基づいて、ＵＬデータチャネル上でＵＣＩを送信するかどうかを決定するためのプロセス、特徴、手段、または命令をさらに含み得る。上で説明した方法、装置、または非一時的なコンピュータ読取可能な媒体のいくつかの例は、ＵＣＩの情報タイプがＨＡＲＱフィードバックであることに基づいて、異なるＵＬデータチャネル上でＵＣＩを送信するためのプロセス、特徴、手段、または命令をさらに含み得る。いくつかの例は、スケジューリングタイプに少なくとも部分的に基づいて、ＵＬデータチャネル上でＵＣＩを送信することを控えることを含み得る。
【００２１】
[0021]上で説明した方法、装置、または非一時的なコンピュータ読取可能な媒体のいくつかの例では、異なるＵＬデータチャネルは、制御チャネルまたはデータチャネルのうちの少なくとも１つである。上で説明した方法、装置、または非一時的なコンピュータ読取可能な媒体のいくつかの例では、異なるＵＬデータチャネルは、ＵＬチャネルと同じキャリアに位置する。
【００２２】
[0022]上で説明した方法、装置、または非一時的なコンピュータ読取可能な媒体のいくつかの例では、異なるＵＬデータチャネルは、ＵＬチャネルとは違う異なるキャリアに位置する。上で説明した方法、装置、または非一時的なコンピュータ読取可能な媒体のいくつかの例は、ＵＣＩの情報タイプがチャネル状態情報（ＣＳＩ）であることに基づいて、ＵＬデータチャネル上でＵＣＩを送信するためのプロセス、特徴、手段、または命令をさらに含み得る。
【００２３】
[0023]上で説明した方法、装置、または非一時的なコンピュータ読取可能な媒体のいくつかの例は、スケジューリングタイプを示すＲＲＣ構成メッセージを受信するためのプロセス、特徴、手段、または命令をさらに含み得る。上で説明した方法、装置、または非一時的なコンピュータ読取可能な媒体のいくつかの例は、スケジューリングタイプのためのＤＭＲＳサイクリックシフトの構成を受信するためのプロセス、特徴、手段、または命令をさらに含み得る。
【００２４】
[0024]上で説明した方法、装置、または非一時的なコンピュータ読取可能な媒体のいくつかの例は、スケジューリングタイプに基づいて、１つまたは複数のダウンリンク（ＤＬ）制御情報（ＤＣＩ）サーチパラメータを識別するためのプロセス、特徴、手段、または命令をさらに含み得る。上で説明した方法、装置、または非一時的なコンピュータ読取可能な媒体のいくつかの例は、１つまたは複数のダウンリンク制御情報（ＤＣＩ）サーチパラメータに基づいて、ＵＥ固有サーチスペースをモニタするためのプロセス、特徴、手段、または命令をさらに含み得る。
【００２５】
[0025]上で説明した方法、装置、または非一時的なコンピュータ読取可能な媒体のいくつかの例は、スケジューリングタイプに基づいて、ＵＬデータチャネルのためのコンテンションプロシージャを実行するためのプロセス、特徴、手段、または命令をさらに含み得る。上で説明した方法、装置、または非一時的なコンピュータ読取可能な媒体のいくつかの例は、コンテンションプロシージャと決定とに基づいて、ＵＬデータチャネル上でＵＣＩを送信するためのプロセス、特徴、手段、または命令をさらに含み得る。
【００２６】
[0026]ワイヤレス通信の別の方法が説明される。方法は、ＵＬ制御情報（ＵＣＩ）ハンドリング構成を示す制御メッセージをＵＥに送信することと、サブフレーム中にＵＬデータチャネルに関するスケジューリングタイプを識別することと、スケジューリングタイプは、コンテンションベーススケジューリングタイプまたは非コンテンションベーススケジューリングタイプである、ＵＥからＵＣＩを受信することと、ここにおいて、ＵＣＩは、ＵＣＩハンドリング構成とスケジューリングタイプとに少なくとも部分的に基づいて送信される、を含み得る。
【００２７】
[0027]ワイヤレス通信のための別の装置が説明される。装置は、ＵＬ制御情報（ＵＣＩ）ハンドリング構成を示す制御メッセージをＵＥに送信するための手段と、サブフレーム中にＵＬデータチャネルに関するスケジューリングタイプを識別するための手段と、スケジューリングタイプは、コンテンションベーススケジューリングタイプまたは非コンテンションベーススケジューリングタイプである、ＵＥからＵＣＩを受信するための手段と、ここにおいて、ＵＣＩは、ＵＣＩハンドリング構成とスケジューリングタイプとに少なくとも部分的に基づいて送信される、を含み得る。
【００２８】
[0028]さらなる装置が説明される。装置は、プロセッサと、このプロセッサと電子通信状態にあるメモリと、このメモリに記憶された命令とを含み得る。命令は、プロセッサによって実行されると、ＵＬ制御情報（ＵＣＩ）ハンドリング構成を示す制御メッセージをＵＥに送信することと、サブフレーム中にＵＬデータチャネルに関するスケジューリングタイプを識別することと、スケジューリングタイプは、コンテンションベーススケジューリングタイプまたは非コンテンションベーススケジューリングタイプである、ＵＥからＵＣＩを受信することと、ここにおいて、ＵＣＩは、ＵＣＩハンドリング構成とスケジューリングタイプとに少なくとも部分的に基づいて送信される、を装置に行わせるように動作可能であり得る。
【００２９】
[0029]ワイヤレス通信のための別の非一時的なコンピュータ読取可能な媒体が説明される。非一時的なコンピュータ読取可能な媒体は、ＵＬ制御情報（ＵＣＩ）ハンドリング構成を示す制御メッセージをＵＥに送信することと、サブフレーム中にＵＬデータチャネルに関するスケジューリングタイプを識別することと、ここで、スケジューリングタイプは、コンテンションベーススケジューリングタイプまたは非コンテンションベーススケジューリングタイプを備える、ＵＥからＵＣＩを受信することと、ここで、ＵＣＩは、ＵＣＩハンドリング構成とスケジューリングタイプとに基づいて送信される、をプロセッサに行わせる命令を含み得る。
【００３０】
[0030]上で説明した方法、装置、または非一時的なコンピュータ読取可能な媒体のいくつかの例は、ＵＬチャネルに対するグラントを送信するためのプロセス、特徴、手段、または命令をさらに含み得、ここで、スケジューリングタイプは、グラントに基づく。上で説明した方法、装置、または非一時的なコンピュータ読取可能な媒体のいくつかの例は、ＵＬチャネルの半永続スケジューリング（ＳＰＳ）のための構成またはアクティベーションメッセージのうちの少なくとも１つを送信するためのプロセス、特徴、手段、または命令をさらに含み得、ここで、スケジューリングタイプは、ＳＰＳに基づく。
【００３１】
[0031]上で説明した方法、装置、または非一時的なコンピュータ読取可能な媒体のいくつかの例は、ＳＰＳのためのリリースメッセージを送信するためのプロセス、特徴、手段、または命令をさらに含み得る。上で説明した方法、装置、または非一時的なコンピュータ読取可能な媒体のいくつかの例は、ＰＨＹ ＨＡＲＱインジケータチャネル（ＰＨＩＣＨ）モニタリングがＳＰＳに対してディセーブルであることを示す制御メッセージを送信するためのプロセス、特徴、手段、または命令をさらに含み得る。上で説明した方法、装置、または非一時的なコンピュータ読取可能な媒体のいくつかの例では、ＵＬデータチャネルのＳＰＳは、ＰＵＣＣＨグループのＰＣｅｌｌのために構成される。
【００３２】
[0032]上で説明した方法、装置、または非一時的なコンピュータ読取可能な媒体のいくつかの例は、デュアル接続性構成のためのＰＵＳＣＨ選択パラメータを識別するためのプロセス、特徴、手段、または命令をさらに含み得る。上で説明した方法、装置、または非一時的なコンピュータ読取可能な媒体のいくつかの例は、ＰＵＳＣＨ選択パラメータに基づいて、デュアル接続性構成のセルを選択するためのプロセス、特徴、手段、または命令をさらに含み得、ここで、ＵＬデータチャネルは、選択されたセルに関連する。
【００３３】
[0033]上で説明した方法、装置、または非一時的なコンピュータ読取可能な媒体のいくつかの例では、ＵＣＩは、ＵＣＩの情報タイプに基づいて、ＵＬデータチャネル上で送信される。上で説明した方法、装置、または非一時的なコンピュータ読取可能な媒体のいくつかの例は、ＵＣＩの情報タイプがＨＡＲＱフィードバックであることに基づいて、異なるＵＬデータチャネル上でＵＣＩを受信するためのプロセス、特徴、手段、または命令をさらに含み得る。
【００３４】
[0034]上で説明した方法、装置、または非一時的なコンピュータ読取可能な媒体のいくつかの例では、異なるＵＬデータチャネルは、制御チャネルまたはデータチャネルのうちの少なくとも１つである。上で説明した方法、装置、または非一時的なコンピュータ読取可能な媒体のいくつかの例では、異なるＵＬデータチャネルは、ＵＬチャネルと同じキャリアに位置する。上で説明した方法、装置、または非一時的なコンピュータ読取可能な媒体のいくつかの例では、異なるＵＬデータチャネルは、ＵＬチャネルとは違う異なるキャリアに位置する。
【００３５】
[0035]上で説明した方法、装置、または非一時的なコンピュータ読取可能な媒体のいくつかの例は、ＵＣＩの情報タイプがＣＳＩであることに基づいて、ＵＬデータチャネル上でＵＣＩを受信するためのプロセス、特徴、手段、または命令をさらに含み得る。
【００３６】
[0036]上で説明した方法、装置、または非一時的なコンピュータ読取可能な媒体のいくつかの例は、スケジューリングタイプを示すＲＲＣ構成メッセージを送信するためのプロセス、特徴、手段、または命令をさらに含み得る。上で説明した方法、装置、または非一時的なコンピュータ読取可能な媒体のいくつかの例は、スケジューリングタイプのためのＤＭＲＳサイクリックシフトを示す構成メッセージを送信するためのプロセス、特徴、手段、または命令をさらに含み得る。
【図面の簡単な説明】
【００３７】
【図１】[0037]図１は、本開示の態様による、コンテンションベースＰＵＳＣＨをサポートするワイヤレス通信システムの例を例示する。
【図２】[0038]図２は、本開示の態様による、コンテンションベースＰＵＳＣＨをサポートするワイヤレス通信システムの例を例示する。
【図３】[0039]図３は、本開示の態様による、コンテンションベースＰＵＳＣＨをサポートするシステムにおけるプロセスフローの例を例示する。
【図４】[0040]図４は、本開示の態様による、コンテンションベースＰＵＳＣＨをサポートする１つまたは複数のワイヤレスデバイスのブロック図を例示する。
【図５】図５は、本開示の態様による、コンテンションベースＰＵＳＣＨをサポートする１つまたは複数のワイヤレスデバイスのブロック図を例示する。
【図６】図６は、本開示の態様による、コンテンションベースＰＵＳＣＨをサポートする１つまたは複数のワイヤレスデバイスのブロック図を例示する。
【図７】[0041]図７は、本開示の態様による、コンテンションベースＰＵＳＣＨをサポートするＵＥを含むシステムのブロック図を例示する。
【図８】[0042]図８は、本開示の態様による、コンテンションベースＰＵＳＣＨをサポートする１つまたは複数のワイヤレスデバイスのブロック図を示す。
【図９】図９は、本開示の態様による、コンテンションベースＰＵＳＣＨをサポートする１つまたは複数のワイヤレスデバイスのブロック図を示す。
【図１０】図１０は、本開示の態様による、コンテンションベースＰＵＳＣＨをサポートする１つまたは複数のワイヤレスデバイスのブロック図を示す。
【図１１】[0043]図１１は、本開示の態様による、コンテンションベースＰＵＳＣＨをサポートする基地局を含むシステムのブロック図を例示する。
【図１２】[0044]図１２は、本開示の態様による、コンテンションベースＰＵＳＣＨのための方法を例示する。
【図１３】図１３は、本開示の態様による、コンテンションベースＰＵＳＣＨのための方法を例示する。
【図１４】図１４は、本開示の態様による、コンテンションベースＰＵＳＣＨのための方法を例示する。
【図１５】図１５は、本開示の態様による、コンテンションベースＰＵＳＣＨのための方法を例示する。
【図１６】図１６は、本開示の態様による、コンテンションベースＰＵＳＣＨのための方法を例示する。
【図１７】図１７は、本開示の態様による、コンテンションベースＰＵＳＣＨのための方法を例示する。
【図１８】図１８は、本開示の態様による、コンテンションベースＰＵＳＣＨのための方法を例示する。
【図１９】図１９は、本開示の態様による、コンテンションベースＰＵＳＣＨのための方法を例示する。
【図２０】図２０は、本開示の態様による、コンテンションベースＰＵＳＣＨのための方法を例示する。
【図２１】図２１は、本開示の態様による、コンテンションベースＰＵＳＣＨのための方法を例示する。
【図２２】図２２は、本開示の態様による、コンテンションベースＰＵＳＣＨのための方法を例示する。
【図２３】図２３は、本開示の態様による、コンテンションベースＰＵＳＣＨのための方法を例示する。
【発明の詳細な説明】
【００３８】
[0045]コンテンションベーススケジューリングは、ライセンスを持つワイヤレスプロバイダによって使用される無線周波数スペクトルの部分での通信に対するレイテンシを低減するために用いられ得る。すなわち、いわゆるライセンススペクトルで動作する複数のユーザ機器（ＵＥ）は、ＵＬリソースの同じセット（または、重複するリソース）が割り当てられ得、それらが、送信すべきデータを有するとき、コンテンションプロシージャを実行し得る。あるＵＥにリソースを割り当てることが、同じリソースを別のＵＥに割り当てる可能性を妨げないため、これは、より頻繁に発生する半永続スケジューリング（ＳＰＳ）期間を可能にし得る。効率的なコンテンツベーススケジューリングを容易にするために、制御情報処理、ＵＥ識別、およびリソースモニタリングのための様々な技法が用いられ得る。
【００３９】
[0046]コンテンションベーススケジューリングをサポートするシステムでは、ＵＥは、個々にグラントされたリソース上でまたはコンテンションベースリソース（例えば、コンテンションベースＳＰＳ物理アップリンク共有チャネル（ＰＵＳＣＨ））上でアップリンク制御情報（ＵＣＩ）を送信し得る。個々にグラントされたリソースを使用するか、コンテンションベースＳＰＳ ＰＵＳＣＨを使用するかの決定は、明示的または暗示的なインジケーションに基づき得る。ＵＣＩ処理はまた、ＵＣＩタイプに依存し得る。例えば、確認応答情報は、ＳＰＳ ＰＵＳＣＨ上で送信されることができないが、チャネル状態情報（ＣＳＩ）は、ＳＰＳ ＰＵＳＣＨ上でピギーバック（すなわち、それとともに送信）され得る。
【００４０】
[0047]同じコンテンションベースＵＬリソースに割り当てられた各ＵＥのための異なる復調基準信号（ＤＭＲＳ）サイクリックシフトは、基地局が、このＵＬリソース上で送信する異なるＵＥを識別することを可能にし得る。各ＵＥのためのＤＭＲＳサイクリックシフトは、（例えば、ＳＰＳアクティベーションメッセージにおいて）動的にまたは無線リソース制御（ＲＲＣ）シグナリングを使用して構成され得る。これは、パケットの衝突が発生する場合または発生しそうな場合に有益であり得る。
【００４１】
[0048]コンテンションベーススキームでは、２つ以上のＵＥが、同じ物理ハイブリッド自動再送要求（ＨＡＲＱ）インジケータチャネル（ＰＨＩＣＨ）リソースでスケジューリングされ得る。すなわち、ＤＭＲＳサイクリックシフトがＵＬ ＳＰＳのためのＰＨＩＣＨリソース導出に関与しないため、共通リソースが割り当てられたいくつかのＵＥは、同じＰＨＩＣＨリソースにマッピングし得る。そのため、いくつかのケースでは、これらＵＥのうちの１つまたは複数は、ＰＨＩＣＨをモニタすることを省略し得る。いくつかの他のケースでは、ＳＰＳ周期性のためのしきい値規則が、ＰＨＩＣＨモニタリングを決定するために使用され得る。
【００４２】
[0049]上で紹介した開示の態様は、ワイヤレス通信システムの文脈で以下に説明される。さらなる例は、コンテンションベースＰＵＳＣＨプロシージャ中のＵＣＩ処理のためのプロセスを例示する。本開示のこれらおよび他の態様は、コンテンションベースＰＵＳＣＨに関する装置、システム図、およびフローチャートによってさらに例示され、それらを参照して説明される。
【００４３】
[0050]図１は、本開示の様々な態様による、ワイヤレス通信システム１００の例を例示する。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）／ＬＴＥ−アドバンスド（ＬＴＥ−Ａ）ネットワークであり得る。ワイヤレス通信システム１００は、コンテンションベースＰＵＳＣＨをサポートし得る。
【００４４】
[0051]基地局１０５は、１つまたは複数の基地局アンテナを介してＵＥ１１５とワイヤレスに通信し得る。各基地局１０５は、それぞれの地理的カバレッジエリア１１０に対して通信カバレッジを提供し得る。ワイヤレス通信システム１００において示される通信リンク１２５は、ＵＥ１１５から基地局１０５へのＵＬ送信、または基地局１０５からＵＥ１１５へのＤＬ送信を含み得る。ＵＥ１１５は、ワイヤレス通信システム１００全体にわたって分散され得、各ＵＥ１１５は、固定またはモバイルであり得る。ＵＥ１１５は、モバイル局、加入者局、リモートユニット、ワイヤレスデバイス、アクセス端末（ＡＴ）、ハンドセット、ユーザエージェント、クライアント、または同様の専門用語でも呼ばれ得る。ＵＥ１１５は、セルラ電話、ワイヤレスモデム、ハンドヘルドデバイス、パーソナルコンピュータ、タブレット、パーソナル電子デバイス、マシンタイプ通信（ＭＴＣ）デバイス、または同様のものであり得る。ＵＥ１１５のうちのいくつかは、コンテンションベーススケジューリングを使用して通信をサポートする。
【００４５】
[0052]基地局１０５は、コアネットワーク１３０とおよび互いに通信し得る。例えば、基地局１０５は、バックホールリンク１３２（例えば、Ｓ１、等）を通して、コアネットワーク１３０とインターフェースし得る。基地局１０５は、（例えば、コアネットワーク１３０を通して）直接的にまたは間接的にバックホールリンク１３４（例えば、Ｘ２、等）上で互いに通信し得る。基地局１０５は、ＵＥ１１５との通信のための無線構成およびスケジューリングを実行し得るか、基地局コントローラ（図示せず）の制御下で動作し得る。いくつかの例では、基地局１０５は、マクロセル、スモールセル、ホットスポット、または同様のものであり得る。基地局１０５は、ｅノードＢ（ｅＮＢ）１０５とも呼ばれ得る。基地局１０５は、コンテンションベーススケジューリングをサポートし得る。
【００４６】
[0053]ワイヤレス通信システム１００でのデータは、論理チャネル、トランスポートチャネル、および物理レイヤチャネルに分けられ得る。チャネルはまた、制御チャネルおよびトラフィックチャネルに分類され得る。論理制御チャネルは、ページング情報のためのページング制御チャネル（ＰＣＣＨ）、ブロードキャストシステム制御情報のためのブロードキャスト制御チャネル（ＢＣＣＨ）、マルチメディアブロードキャストマルチキャストサービス（ＭＢＭＳ）スケジューリングおよび制御情報を送信するためのマルチキャスト制御チャネル（ＭＣＣＨ）、専用制御情報を送信するための専用制御チャネル（ＤＣＣＨ）、ランダムアクセス情報のための共通制御チャネル（ＣＣＣＨ）、専用ＵＥデータのためのＤＴＣＨ、およびマルチキャストデータのためのマルチキャストトラフィックチャネル（ＭＴＣＨ）を含み得る。
【００４７】
[0054]ＤＬトランスポートチャネルは、ブロードキャスト情報のためのブロードキャストチャネル（ＢＣＨ）、データ転送のためのダウンリンク共有チャネル（ＤＬ−ＳＣＨ）、ページング情報のためのページングチャネル（ＰＣＨ）、およびマルチキャスト送信のためのマルチキャストチャネル（ＭＣＨ）を含み得る。ＵＬトランスポートチャネルは、アクセスのためのランダムアクセスチャネル（ＲＡＣＨ）およびデータのためのアップリンク共有チャネル（ＵＬ−ＳＣＨ）を含み得る。
【００４８】
[0055]ＤＬ物理チャネルは、ブロードキャスト情報のための物理ブロードキャストチャネル（ＰＢＣＨ）、制御フォーマット情報のための物理制御フォーマットインジケータチャネル（ＰＣＦＩＣＨ）、制御およびスケジューリング情報のための物理ダウンリンク制御チャネル（ＰＤＣＣＨ）、ハイブリッド自動再送要求（ＨＡＲＱ）ステータスメッセージのためのＰＨＩＣＨ、ユーザデータのための物理ダウンリンク共有チャネル（ＰＤＳＣＨ）、およびマルチキャストデータのための物理マルチキャストチャネル（ＰＭＣＨ）を含み得る。ＵＬ物理チャネルは、アクセスメッセージのための物理ランダムアクセスチャネル（ＰＲＡＣＨ）、制御データのためのＰＵＣＣＨ、およびユーザデータのためのＰＵＳＣＨを含み得る。
【００４９】
[0056]ＨＡＲＱは、ワイヤレス通信リンク１２５上でデータが正確に受信されることを決定する方法である。ＨＡＲＱは、（例えば、ＣＲＣを使用した）誤り検出、前方向誤り訂正（ＦＥＣ）、および再送（例えば、自動再送要求（ＡＲＱ））の組合せを含み得る。ＨＡＲＱは、悪い無線条件（例えば、信号対ノイズ条件）において媒体アクセス制御（ＭＡＣ）レイヤにおけるスループットを改善し得る。インクリメンタル冗長ＨＡＲＱでは、データを成功裏に復号する全体的な可能性を高めるために、不正確に受信されたデータが、バッファに記憶され、後続の送信と組み合せられ得る。いくつかのケースでは、冗長ビットが、送信前に各メッセージに追加される。これは悪い条件において有益であり得る。他のケースでは、冗長ビットは、各送信に追加されるのではなく、元のメッセージの送信機が、情報を復号しようとした試みの失敗を示す否定応答（ＮＡＣＫ）を受信した後に再送される。この一連の送信、応答、および再送は、ＨＡＲＱプロセスと呼ばれ得る。いくつかのケースでは、限られた数のＨＡＲＱプロセスが、所与の通信リンク１２５に対して使用され得る。
【００５０】
[0057]基地局１０５は、チャネルを効率的に構成およびスケジューリングするために、ＵＥ１１５からチャネル条件情報を収集し得る。この情報は、チャネル状態報告の形でＵＥ１１５から送られ得る。チャネル状態報告は、（例えば、ＵＥ１１５のアンテナポートに基づいて）ある数のレイヤがＤＬ送信に使用されることを要求するランクインジケータ（ＲＩ）、（レイヤの数に基づいて）どのプレコーダマトリックスが使用されるべきかについてのプリファレンスを示すプレコーディング行列インジケータ（ＰＭＩ）、使用され得る最も高度な変調およびコーディングスキーム（ＭＣＳ）を表すチャネル品質インジケータ（ＣＱＩ）を含み得る。ＣＱＩは、セル固有基準信号（ＣＲＳ）またはＣＳＩ−ＲＳのような所定のパイロットシンボルを受信した後に、ＵＥ１１５によって算出され得る。ＲＩおよびＰＭＩは、ＵＥ１１５が空間多重化をサポートしない（または、サポート空間モードでない）場合、除外され得る。この報告に含まれる情報のタイプは、報告タイプを決定する。
【００５１】
[0058]チャネル状態報告は、周期的または非周期的であり得る。すなわち、基地局１０５は、一定の間隔で周期的な報告を送信するようにＵＥ１１５を構成し得、また必要に応じて追加の報告を要求し得る。非周期的な報告は、セル帯域幅全体にわたるチャネル品質、最良のサブバンドのサブセットを示すＵＥ選択された報告、または報告されたサブバンドが基地局１０５によって選択される構成された報告を示す広帯域報告を含み得る。チャネル状態報告は、他のＵＣＩと同様に、ＵＥ１１５に、個々にグラントされたリソースが割り当てられるかコンテンションベースリソースが割り当てられるかに依存して異なるＵＬチャネル上で送信され得る。
【００５２】
[0059]いくつかのケースでは、ＵＥ１１５または基地局１０５は、ライセンス無線周波数スペクトルまたはアンライセンス無線周波数スペクトルの共有部分で動作し得る。これらのデバイスは、チャネルが利用可能であるかどうかを決定するために、通信前にクリアチャネルアセスメント（ＣＣＡ）を実行し得る。ＣＣＡは、任意の他のアクティブな送信が存在するかどうかを決定するためのエネルギー検出プロシージャを含み得る。例えば、デバイスは、チャネルが占有されていると電力メーターの受信信号強度インジケーション（ＲＳＳＩ）の変化が示すことを推測し得る。具体的には、特定の帯域幅に集中させられており、所定のノイズフロアを超える信号電力は、別のワイヤレス送信機を示し得る。ＣＣＡはまた、チャネルの使用を示す特定のシーケンスの検出を含み得る。例えば、別のデバイスは、データシーケンスを送信する  前に、特定のプリアンブルを送信し得る。ＵＥ１１５は、コンテンションベースリソース上での通信の前にＣＣＡ動作を実行し得る。
【００５３】
[0060]ワイヤレス通信システム１００では、基地局１０５が送信パターンアップリンク（ＵＬ）またはダウンリンク（ＤＬ）送信を定義および指定するとき、半永続スケジューリング（ＳＰＳ）が用いられ得る。これは、基地局１０５が、所与のＵＥのために各ＵＬまたはＤＬ送信を個々にスケジューリングするスキームとは対照的である。ゆえに、ＳＰＳは、スケジューリング割当てオーバヘッドを低減し得る。無線リソース制御（ＲＲＣ）シグナリングは、アップリンクＵＬ ＳＰＳについて、下記のうちの１つまたは複数を構成するために使用され得る：
ＳＰＳ無線ネットワーク一時識別子（ＲＮＴＩ）、ＳＰＳ間隔（例えば、１０ｍｓ、２０ｍｓ、３２ｍｓ、４０ｍｓ、６４ｍｓ、等）、暗示的なリリースタイマ（例えば、２、３、４または８つの送信）、およびＳＰＳのための開ループ電力制御。いくつかのケースでは、２つのアップリンクサブフレームセットがＵＥのために構成されている場合、ＳＰＳのための２つ以上の開ループ電力制御パラメータも存在し得る。時分割複信（ＴＤＤ）構成の場合、ＲＲＣは、ＵＬ ＳＰＳについての間隔の数を示し得る。
【００５４】
[0061]新しいデータインジケータ（ＮＤＩ）は、ＳＰＳアクティベーションメッセージに含まれ得る。ＮＤＩは、例えば、ＳＰＳのための無線リソースのアクティベーションのために０に設定され得る。すなわち、ＮＤＩが１に設定されている場合、それは、複数の例では、ＳＰＳ再送を表し得る。いくつかのケースでは、アクティベーションメッセージ巡回冗長検査（ＣＲＣ）は、構成されたＳＰＳ Ｃ−ＲＮＴＩでマスクされ得る。
【００５５】
[0062]以下でさらに説明するように、システム１００では様々なダウンリンク制御情報（ＤＣＩ）フォーマットが使用され得る。様々なＤＣＩフォーマットが、ＳＰＳをアクティブ化またはリリースにするために使用され得る。どのフィールドでどのように特定のＤＣＩメッセージが使用されるかは、コンテンションベースＳＰＳが用いられるかどうかに依存し得る。
【００５６】
[0063]ＵＬデータの送信に続いて、ＵＥ１１５は、ＳＰＳ送信を決定するために、ＰＨＩＣＨを使用し得る。いくつかのケースでは、ＵＥ１１５は、ＰＨＩＣＨをオーバードライブするためにＰＤＣＣＨまたはＥＰＤＣＣＨでスケジューリングされ得る。いくつかのケースでは、動的スケジューリングＰＤＣＣＨは、モニタリング優先順位に関してＰＨＩＣＨより優先され得る。
【００５７】
[0064]ＵＬ送信は、例えば、ＰＵＳＣＨ、ＰＵＣＣＨ、コンテンションベースＵＬチャネル、等のＵＬチャネルのチャネル推定およびコヒーレント復調のために使用され得るＤＭＲＳを含み得る。以下で論述するように、異なるＵＥ１１５は、異なるサイクリックシフトでＤＭＲＳを送信し得、このサイクリックシフトは、ＵＬ送信間での衝突が発生するときに、基地局１０５が、特定の送信に関連するＵＥ１１５を識別するのを助ける。
【００５８】
[0065]ＵＬ ＨＡＲＱ動作の場合、ＵＥ１１５は、サブフレームｎでのＳＰＳ送信のために、サブフレームｎ＋ｋにおける対応するＰＨＩＣＨリソースを決定し得、ここで、値ｋは、ＦＤＤ／ＴＤＤ構成、干渉緩和構成、等に依存し得る。追加的に、サブフレームｎ＋ｋにおけるリソースは、開始物理リソースブロック（ＰＲＢ）インデックスの関数であり得る。いくつかのケースでは、これは、動的にスケジューリングされるＰＵＳＣＨとは異なり得、この場合、ＰＨＩＣＨリソースは、最新のＤＣＩにおける３ビットＤＭＲＳサイクリックシフト値および開始ＰＲＢインデックスの関数である。ＵＬ ＳＰＳの場合、ＤＭＲＳサイクリックシフト値はゼロであり得る。以下で説明するように、コンテンションベースリソースが割り当てられているＵＥ１１５は、いくつかの例では、ＰＨＩＣＨリソースをモニタすることを控え得る。
【００５９】
[0066]システム１００では送信時間間隔（ＴＴＩ）バンドリングも用いられ得る。ＴＴＩバンドリングは、ＨＡＲＱ ＡＣＫ／ＮＡＣＫメッセージを待つことなく、連続的または非連続的なサブフレームにおいてトランスポートブロックを複数回送ることを含み得る。ＵＬ ＴＴＩバンドリングは、ＵＬカバレッジを改善するように構成され得る。いくつかのケースでは、ＴＴＩバンドリングは、ＦＤＤのためのＵＬ ＳＰＳとともに構成され得る。特定のＴＤＤの例を含む他のケースでは、ＴＴＩバンドリングは、過度の複雑さを避けるために、ＵＬ ＳＰＳとは構成されないであろう。
【００６０】
[0067]ＵＬ ＳＰＳは、それがキャリアアグリゲーション（ＣＡ）またはデュアル接続性（ＤＣ）と互換性があり得るように構成され得る。例えば、ＣＡでは、ＵＬ ＳＰＳは、プライマリセル（ＰＣｅｌｌ）上でのみ構成され得る。ＤＣでは、ＵＬ ＳＰＳは、プライマリセルグループのＰＣｅｌｌ上でおよびセカンダリセルグループのプライマリセカンダリセル（ＰＳＣｅｌｌ）上で構成され得る。
【００６１】
[0068]いくつかのケースでは、ＳＰＳ ＰＵＳＣＨは、１ビットまたは２ビットの電力調整でのアップリンク送信電力制御のために、ＤＣＩフォーマット３／３Ａと併用され得る。例えば、ＤＣＩフォーマット３／３Ａを介したグループ電力制御が、ＵＬ ＳＰＳ ＰＵＳＣＨ送信に対して使用され得る。そのようなケースでは、初期の送信は、ＰＵＳＣＨ上でスケジューリングされないであろう。
【００６２】
[0069]いくつかの例では、ワイヤレス通信システム１００は、１つまたは複数の拡張コンポーネントキャリア（ｅＣＣ）を利用し得る。ｅＣＣは、柔軟な帯域幅、異なるＴＴＩ、および修正された制御チャネル構成を含む１つまたは複数の特徴によって特徴付けられ得る。いくつかのケースでは、ｅＣＣは、（例えば、複数のサービングセルが準最適のバックホールリンクを有するとき）デュアル接続性構成またはＣＡ構成に関連し得る。ｅＣＣはまた、（例えば、１つより多くのオペレータがスペクトルを使用するためのライセンスを持っている）共有スペクトル、ライセンススペクトル、またはアンライセンススペクトルでの使用のために構成され得る。柔軟な帯域幅によって特徴付けられるｅＣＣは、（例えば、電力を節約するために）限られた帯域幅を使用することを好むかまたは帯域幅全体をモニタする能力がないＵＥ１１５によって利用され得る１つまたは複数のセグメントを含み得る。
【００６３】
[0070]いくつかのケースでは、ｅＣＣは、他のコンポーネントキャリア（ＣＣ）とは異なるＴＴＩ長を使用し得、それは、それらの他のＣＣのＴＴＩと比較して、低減されたまたは可変のシンボル持続時間の使用を含み得る。シンボル持続時間は、いくつかのケースでは、同じままであり得るが、各シンボルは、別個のＴＴＩを表し得る。いくつかの例では、ｅＣＣは、異なるＴＴＩ長を使用した送信をサポートし得る。例えば、いくつかのＣＣは、均一な１ｍｓのＴＴＩを使用し得るが、ｅＣＣは、単一のシンボル、一対のシンボル、または１つのスロットのＴＴＩ長を使用し得る。いくつかのケースでは、より短いシンボル持続時間はまた、増大されたサブキャリア間隔に関連し得る。低減されたＴＴＩ長とともに、ｅＣＣは、動的な時分割複信（ＴＤＤ）動作を利用し得る（すなわち、それは、動的な条件にしたがって、短いバーストの間にＤＬ動作からＵＬ動作に切り替わり得る）。
【００６４】
[0071]柔軟な帯域幅および可変のＴＴＩは、修正された制御チャネル構成に関連し得る（例えば、ｅＣＣは、ＤＬ制御情報のための拡張された物理ダウンリンク制御チャネル（ｅＰＤＣＣＨ）を利用し得る）。例えば、ｅＣＣの１つまたは複数の制御チャネルは、柔軟な帯域幅使用に適応するために（accommodate）、周波数分割多重化（ＦＤＭ）スケジューリングを利用し得る。他の制御チャネルの修正は、（例えば、発展型マルチメディアブロードキャストマルチキャストサービス（ｅＭＢＭＳ）スケジューリングのためのまたは可変長のＵＬおよびＤＬバーストの長さを示すための）追加の制御チャネルまたは異なる間隔で送信される制御チャネルの使用を含む。ｅＣＣはまた、修正されたまたは追加のＨＡＲＱ関連制御情報を含み得る。
【００６５】
[0072]システム１００内で、ＵＥ１１５は、ＵＣＩを識別し、共有ＵＬチャネルがコンテンションベーススケジューリングを使用するかどうかに基づいて、ＵＣＩを送信するためのＵＬチャネルを選択し得る。例えば、複数のＵＥ１１５が、同一の半永続スケジューリング（ＳＰＳ）されたＰＵＳＣＨへのアクセスを求めて競い得る。各ＵＥ１１５は、それらの送信を識別するために、異なるＤＭＲＳ信号サイクリックシフトを利用し得る。いくつかのケースでは、ＣＳＩのようないくつかのＵＣＩは、コンテンションベースＰＵＳＣＨ上で送信され得、ＨＡＲＱ情報のような他のＵＣＩは、物理アップリンク制御チャネル（ＰＵＣＣＨ）上で送信され得る。いくつかのケースでは、チャネル選択は、基地局１０５から受信された構成に基づき得る。
【００６６】
[0073]図２は、コンテンションベースＰＵＳＣＨのためのワイヤレス通信システム２００の例を例示する。ワイヤレス通信システム２００は、図１を参照して説明した対応するデバイスの例であり得る基地局１０５−ａならびにＵＥ１１５−ａおよび１１５−ｂを含み得る。ＵＥ１１５−ａおよび１１５−ｂは、それぞれＵＬチャネル２０５−ａおよび２０５−ｂを使用してＵＬ上で基地局１０５と通信し得る。ワイヤレス通信システム２００は、ＵＬチャネル２０５−ａおよび２０５−ｂ上でコンテンションベースＰＵＳＣＨをサポートし得る。したがって、ＵＥ１１５−ａおよび１１５−ｂは、ＵＣＩのタイプとＰＵＳＣＨがコンテンションベースであるかどうかとに基づいて、ＰＵＳＣＨまたはＰＵＣＣＨ上でＵＣＩを選択的に送信し得る。
【００６７】
[0074]コンテンションベーススケジューリングは、レイテンシを低減するために、ライセンススペクトルまたはアンライセンススペクトルにおいて使用され得る。ＵＥ１１５−ａおよび１１５−ｂは、ＳＰＳリソース２１０−ａおよび２１０−ｂのようなＵＬリソースの同じセット（または、重複するリソース）が割り当てられ得る。ゆえに、ＵＥ１１５−ａおよび１１５−ｂは、それらがこれらのリソースを使用して送信すべきデータを有するとき、コンテンションプロシージャを実行し得る。述べたように、ＳＰＳの使用は、連続的な無線リソース割振りを必要とするアプリケーションのための制御チャネルオーバヘッドを低減し得る。例えば、コンテンションベースＳＰＳは、例えば、ＵＥ１１５−ａにリソースを割り当てることが、同じリソースをＵＥ１１５−ｂに割り当てる可能性を妨げないため、より頻繁に発生するＳＰＳ期間の使用を可能にし得る。いくつかのケースでは、ＳＰＳ期間は、１ｍｓほどの短さであり得るか、例えば、短縮ＴＴＩがサポートされる場合には、１ｍｓより短いであろう。他のケースでは、動的なまたはＳＰＳベースのＵＬスケジューリングのためのパディングの低減も、レイテンシを短縮するために用いられ得る。
【００６８】
[0075]上述したように、様々なＤＣＩメッセージおよびこれらのメッセージのフィールドは、ＳＰＳをアクティブ化またはリリースするために使用され得る。例えば、ＤＣＩフォーマット０は、ＵＬ ＳＰＳアクティベーションを表すために使用され得る。非コンテンションベースリソース上のＳＰＳの場合、ＤＣＩフォーマット０メッセージの３ビットＤＭＲＳサイクリックシフトフィールドは、ＳＰＳアクティベーションを示すために０００に設定され得る。他の情報フィールド（例えば、リソース割振り）は、コンテンションベースリソースが使用されるか非コンテンションベースリソースが使用されるかに依存して設定され得、ゆえに、いくつかのケースでは、動的アップリンク割当てに類似し得る。例えば、変調およびコーディングスキーム（ＭＣＳ）および冗長バージョンに関するフィールドは、「０」に設定され得る。以下の表１は、概して「０」に設定された６ビットを描写する。
【００６９】
【表１】
2019502312.tif 000003
【００７０】
[0076]ＤＣＩフォーマット０は、ＵＬ ＳＰＳリリースにも使用され得る。非コンテンションベースリソース上のＳＰＳの場合、３ビットＤＭＲＳサイクリックシフトは、０００に設定され得る。他のフィールドは、例えば、無効な割当てを表すために、フィールドのすべてのビットが「１」に設定され得る。これは、ＳＰＳリリースを示すインジケーションとして使用され得る。以下の表２は、ＵＬ ＳＰＳリリースのためのＤＣＩフォーマット０下での例示的なビット割当てを描写する。
【００７１】
【表２】
2019502312.tif 000004
【００７２】
[0077]コンテンションベースＳＰＳが用いられるとき、ＵＬリソースのセットが割り当てられた各ＵＥ１１５によって異なるＤＭＲＳサイクリックシフトが使用され得る。これは、数個のＵＥ１１５がＵＬリソースを使用しようとしているときに、基地局１０５が、特定のＵＥ１１５からの送信を識別することを可能し得る。これは、パケットの衝突が発生する場合または発生しそうであり得る場合に有益であり得る。各ＵＥ１１５のためのＤＭＲＳサイクリックシフトは、（例えば、ＳＰＳアクティベーションメッセージにおいて）動的にまたはＲＲＣシグナリングを使用して構成され得る。そのため、いくつかの例では、ＤＣＩフォーマット０メッセージのＤＭＲＳサイクリックシフトフィールドは、コンテンツベースのＳＰＳをサポートするために所与のＵＥ１１５が使用すべきサイクリックシフトを示すために使用され得る。
【００７３】
[0078]例として、以下の表３に示されているもののようなマッピングテーブルが、ＤＭＲＳサイクリックシフトを通信するために使用され得る。例えば、ＤＣＩメッセージの３ビットＤＭＲＳサイクリックシフトフィールドは、表３に示されるように設定され得る。各設定は、ＤＣＩメッセージを受信するＵＥ１１５が用い得る特定のＤＭＲＳサイクリックシフトパラメータに対応し得る。３ビットスキームのケースでは、８つのサイクリックシフト値が処理され得る。
【００７４】
【表３】
2019502312.tif 000005
【００７５】
[0079]４ビットを含む別の例では、最大１２のサイクリックシフト値が、上で説明したのと同様の方法で定義され得る。ＲＲＣ構成されたルートシーケンスもまた、ＳＰＳ ＰＵＳＣＨに対して半静的に構成され得るかまたは動的に示され得、これは、増加した複雑さを犠牲にして多重化能力を高め得る。
【００７６】
[0080]コンテンションベースのスキームでは、ＵＥ１１５−ａおよび１１５−ｂ（および、他のＵＥ１１５）もまた、同じＰＨＩＣＨリソースでスケジューリングされ得る。すなわち、ＤＭＲＳサイクリックシフトがＵＬ ＳＰＳのためのＰＨＩＣＨリソース導出に関与しないため、同じ開始ＰＲＢを有するＵＥは、同じＰＨＩＣＨリソースにマッピングし得る。そのため、いくつかのケースでは、ＵＥ１１５のうちの１つまたは複数は、ＰＨＩＣＨをモニタすることを省略し得る。
【００７７】
[0081]例えば、基地局１０５−ａは、ＲＲＣ構成を介してＵＬ ＳＰＳのためのＰＨＩＣＨをモニタするか否かをＵＥ１１５−ａおよび１１５−ｂに明示的に示し得る。追加的または代替的に、基地局１０５−ａは、ＤＭＲＳサイクリックシフトがＵＬ ＳＰＳのために構成されない場合に依然としてＰＨＩＣＨをモニタしつつ、ＤＭＲＳサイクリックシフトがＵＬ ＳＰＳのためにＲＲＣによって構成されるかどうかを暗示的に示し得る。いくつかのケースでは、ＳＰＳ周期性のためのしきい値規則が、ＰＨＩＣＨモニタリングを決定するために使用され得る。例えば、ＳＰＳの周期性が１０ｍｓ未満の場合には、ＰＨＩＣＨモニタリングはなく、それ以外の場合には、ＰＨＩＣＨモニタリングを続ける。ゆえに、ＵＥ１１５−ａおよび１１５−ｂは、ＰＨＩＣＨモニタリングが省略されるべきか否かを暗示的に決定し得る。
【００７８】
[0082]別の例では、ＵＥ１１５−ａおよび１１５−ｂは、同じＰＨＩＣＨリソースをモニタし得る。例えば、検出されたＵＥ１１５ごとに、基地局１０５−ａは、対応するＳＰＳ Ｃ−ＲＮＴＩを使用してＤＣＩを送信し得る。いくつかのケースでは、基地局１０５−ａは、検出されていない他のＵＥ１１５に示すためにＰＨＩＣＨ値（例えば、ＡＣＫ）を設定し得る。
【００７９】
[0083]代替的に、ＰＨＩＣＨリソース導出のためのＲＲＣ構成されたＤＭＲＳサイクリックシフトが使用され得る。例えば、３ビットが、ＲＲＣ構成されたＤＭＲＳサイクリックシフトに使用される場合、ＤＣＩフォーマット０での３ビットＤＭＲＳサイクリックシフトについて、以下に示すマッピングテーブルが使用され得る。他のケースでは、４ビットがＲＲＣ構成されたＤＭ−ＲＳサイクリックシフトに使用される場合、異なるマッピングテーブルが定義され得る。
【００８０】
【表４】
2019502312.tif 000006
【００８１】
[0084]いくつかのケースでは、共通サーチスペース上でＵＥ固有サーチスペースにおいてアップリンクグループ送信電力制御情報をモニタすべきＵＥ。アップリンク送信電力制御に使用されるＤＣＩフォーマット３／３Ａは、可能な限り頻繁に送信され得る。しかしながら、いくつかのケースでは、ＤＣＩフォーマット３／３Ａを搬送する共通サーチスペースは、混雑している可能性がある。このようなケースでは、ＵＥ１１５は、それがＵＬ ＳＰＳで構成される場合、ＵＥ固有サーチスペースにおいて３／３Ａをモニタし得る。例えば、ＵＬ ＳＰＳが１０ｍｓ未満の周期性を有するときまたはＵＬ ＳＰＳが、ＲＲＣ構成されたＤＭＲＳサイクリックシフトを有するとき。次いで、ＵＥ固有サーチスペースにおけるＤＣＩ３／３Ａのアグリゲーションレベルは、例えば、レベル４およびレベル８に制限され得る。
【００８２】
[0085]いくつかのケースでは、ＳＰＳは、プライマリセル（ＰＣｅｌｌ）またはプライマリセカンダリセル（ＰＳｃｅｌｌ）において構成され得る。低データレートのようないくつかのケースでは、コンテンションベースＰＵＳＣＨ動作は、ＰＣｅｌｌまたはＰＳｃｅｌｌにおいてイネーブルにされるのに十分であり得る。デュアル接続性構成のケースでは、コンテンションベースＰＵＳＣＨがＰＣｅｌｌおよびＰＳＣｅｌｌの両方においてイネーブルである場合、これら２つの中から選ぶための選択プロセスは、ＵＥインプリメンテーションに頼ることまたは標準化された規則を確立することを含み得、これは、ＰＣｅｌｌが選択されるべきかＰＳＣｅｌｌが選択されるべきかを決定するのを助け得る。例えば、ＰＣｅｌｌは、ＰＳＣｅｌｌより高い優先順位が与えられ得る。代替的に、セルは、それが最も早いＳＰＳ機会を提供するため、選択され得る。
【００８３】
[0086]例として、セル選択はまた、ペイロードサイズ、リソース割振りサイズ、変調スキーム、コーディングレート、ＳＰＳの周期性、またはそれらの組合せに依存し得る。例えば、ＰＣｅｌｌ ＳＰＳ ＰＵＳＣＨは、１つのリソースブロックを使用し得、ＰＳＣｅｌ ＳＰＳ ＰＵＳＣＨは、２つのリソースブロックを使用し得る。そのため、セル選択がペイロードサイズに基づく場合、１００ビット以下のペイロードサイズについては、ＰＣｅｌｌ ＳＰＳが選ばれ（picked）得、それ以外の場合には、ＰＳＣｅｌｌ ＳＰＳが選択され得る。
【００８４】
[0087]ＵＥは、ＰＵＳＣＨが、個々にグラントされたリソースに関連する（ＳＰＳ ＰＵＳＣＨまたはＰＵＣＣＨのいずれか）か、コンテンションベースリソースに関連するかに依存して、ＰＵＳＣＨ上でＵＣＩを送信し得る。いくつかのケースでは、ＰＵＳＣＨ上でピギーバックするＵＣＩは、他のパラメータ、例えば、並列のＰＵＣＣＨ送信およびＰＵＳＣＨ送信がＵＥのために構成されているかどうかにさらに依存し得る。例えば、並列のＰＵＣＣＨ送信およびＰＵＳＣＨ送信がＵＥのために構成されていない場合、ＵＣＩは、ＳＰＳ ＰＵＳＣＨ上でピギーバック（すなわち、それとともに送信）され得る。
【００８５】
[0088]コンテンションベースＰＵＳＣＨの場合、構成されたＳＰＳ ＰＵＳＣＨは、日和見的に使用され得る。例えば、ＵＥ１１５−ａがＵＬトラフィックを有さない場合、それは、ＳＰＳ ＰＵＳＣＨを使用しないであろう。ＵＥ１１５−ａがＵＬトラフィックを有する場合、ＳＰＳリソース２１０−ａがＵＥ１１５−ｂによって共有され得る可能性がある（例えば、ＳＰＳリソース２１０−ａは、ＳＰＳリソース２１０−ｂと同じであるかそれと重複し得る）。いくつかのケースでは、ＵＣＩは、ＳＰＳ ＰＵＳＣＨがコンテンションベースであるかどうかに依存して、ＰＵＳＣＨ上で送られることも送られないこともある。ＵＥ１１５−ａがＳＰＳ ＰＵＳＣＨを送信しない場合（それがアップリンクサブフレームのために構成されている場合であっても）、ＰＵＣＣＨまたは他のＰＵＳＣＨは、アップリンクサブフレームにおいてＵＣＩを送信するために使用され得る。ＵＥ１１５−ａがＳＰＳ ＰＵＳＣＨを送信する場合、いくつかのケースでは、ＵＣＩは、ＰＵＣＣＨまたはＰＵＳＣＨ上で送信され得る。
【００８６】
[0089]個々にグラントされたリソースを使用するかコンテンションベースＳＰＳ ＰＵＳＣＨを使用するかの決定は、明示的または暗示的な指示に依存し得る。例えば、構成中に受信されたＲＲＣシグナリングを含むＲＲＣシグナリングは、ＳＰＳ ＰＵＳＣＨがコンテンションベースであることを明示的に示し得る。ＲＲＣシグナリングは、ＳＰＳ ＰＵＳＣＨがＵＣＩを搬送するよう意図されていない可能性があることをさらに示し得る。代替的に、例えば、ＳＰＳ周期性に基づく暗示的なインジケーション（ＤＭＲＳサイクリックシフトがＲＲＣによって構成されているかどうか、等）が使用され得る。ＵＣＩハンドリングもまた、ＵＣＩタイプに依存し得る。例えば、チャネル状態情報（ＣＳＩ）は依然としてＳＰＳ ＰＵＳＣＨ上でピギーバックされ得るが、ＡＣＫ／ＮＡＣＫはＳＰＳ ＰＵＳＣＨ上で送信されないであろう。
【００８７】
[0090]ＨＡＲＱ ＡＣＫ／ＮＡＣＫメッセージを待つことなく連続サブフレームでトランスポートブロックを複数回送ることを含み得るＴＴＩバンドリングは、ＵＬカバレッジを改善するように構成され得る。いくつかのケースでは、小さいＳＰＳの周期性について。そのようなケースでは、ＴＴＩバンドリングは、何らかのしきい値より大きいＳＰＳ周期性に制限され得る。例えば、１ｍｓまたは２ｍｓのＳＰＳ周期性は、ＴＴＩバンドリングをサポートしない可能性があるが、より大きな周期性はサポートし得る。または、一例では、ＳＰＳ周期性が１０ｍｓより大きい場合、ＵＬ ＳＰＳはＴＴＩバンドリングと同時に構成され得る。
【００８８】
[0091]特定のＤＬ送信が受信されたかどうかに関するフィードバックを提供するためにＵＥ１１５−ａおよび１１５−ｂが使用し得るＨＡＲＱ応答は、ＵＬ ＳＰＳアクティベーションおよびリリースをサポートするように修正され得る。例えば、ＤＬアソシエーションセット（すなわち、コメントＵＬサブフレームにおいてＨＡＲＱフィードバックが送られるＤＬサブフレームのセット）について、ＵＬ ＳＰＳのアクティベーションおよびリリースに対して課される制約が存在し得る。例えば、システムは、所与のＤＬアソシエーションセットについて、ＳＰＳアクティベーションまたはリリースが存在するが、１つより多くのＳＰＳアクティベーションが存在しないか、１つより多くのＳＰＳリリースが存在しないか、それらのうちの１つより多くが存在しない、という制約を課し得る。
【００８９】
[0092]いくつかの他のケースでは、スケジューリング制約は、スケジューリング要求（ＳＲ）がＵＬ ＳＰＳと同じセルグループにおいて構成されないことを確実にし得る。しかしながら、ＳＲが同じセルグループにおいて構成されている場合、ＵＬ ＳＰＳアクティベーションまたはリリースは、ＳＲのために構成された同じアップリンクサブフレームでのＨＡＲＱフィードバックを必要としないＤＬサブフレームで送られ得る。いくつかの例では、ＰＵＣＣＨフォーマット３、４、または５がＵＥのために構成されている場合、ＵＬ ＳＰＳアクティベーションまたはリリースのための専用ビットを有することが用いられ得る。ＵＬ ＳＰＳアクティベーションまたはリリースのための専用ビットは、所与のＰＵＣＣＨフォーマットでＳＲを示すビットのような他の専用ビットとは別のものであり得る（in addition to）。
【００９０】
[0093]いくつかのケースでは、ＵＥ１１５−ａおよび１１５−ｂは、ＳＰＳがアクティブ化または非アクティブ化されるとき応答を送らないであろう。例えば、アクティベーション／デアクティベーションチェーンにおけるフィードバックプロセスは、ＡＣＫ／ＮＡＣＫが、ＤＬ送信に加えてＵＬ送信に応答して行われることを可能にし得る。
【００９１】
[0094]図３は、本開示の様々な態様による、コンテンションベースＰＵＳＣＨのプロセスフロー３００の例を例示する。プロセスフロー３００は、図１〜２を参照して説明した対応するデバイスの例であり得る、基地局１０５−ｂならびにＵＥ１１５−ｃおよび１１５−ｄを含み得る。プロセスフロー３００は、ＵＣＩを送信するためのＵＬリソース（例えば、ＳＰＳ ＰＵＳＣＨ）で基地局１０５−ｂがＵＥ１１５−ｃおよびＵＥ１１５−ｄの両方をスケジューリングする例を表し得る。
【００９２】
[0095]ステップ３０５において、基地局１０５−ｃは、スケジューリングメッセージをＵＥ１１５−ｃおよびＵＥ１１５−ｄの各々に送信し得る。例えば、スケジューリングメッセージは、ＵＬチャネルに対するグラントおよび／またはアクティベーションメッセージであり得る。すなわち、スケジューリングされるＵＬリソースは、個々にグラントされ得るか、コンテンションベースであり得る。
【００９３】
[0096]ステップ３１０において、ＵＥ１１５−ｃ（および、ＵＥ１１５−ｄ、図示せず）は、サブフレーム中に送信すべきＵＣＩを識別し得る。ステップ３１５において、ＵＥ１１５−ｃ（および、ＵＥ１１５−ｄ、図示せず）は、ＵＬチャネルに関するスケジューリングタイプとして識別し得る。例えば、ＵＥ１１５−ｃおよびＵＥ１１５−ｄは、グラントされたＳＰＳ ＰＵＳＣＨリソースがコンテンションベースであるかどうかを決定し得る。
【００９４】
[0097]次いで、ＵＥ１１５−ｃおよびＵＥ１１５−ｄは、それぞれ、ステップ３２０およびステップ３２５において、ＵＣＩを送信し得る。コンテンションベースＳＰＳ ＰＵＳＣＨを使用してＵＣＩが送信される場合、ＵＥ１１５−ｃおよびＵＥ１１５−ｄは、異なるＤＭＲＳサイクリックシフトを使用し得、これは、基地局１０５−ｃが送信元を識別することを可能にし得る。
【００９５】
[0098]いくつかのケースでは、ＵＥ１１５−ｃおよびＵＥ１１５−ｄはまた、そのＰＨＩＣＨモニタリングがＳＰＳに対してディセーブルであると決定し、ＰＨＩＣＨモニタリングがディセーブルであるとの決定に少なくとも部分的に基づいて、ＰＨＩＣＨをモニタリングするのを控える。いくつかのケースでは、ＵＥ１１５−ｃおよびＵＥ１１５−ｄは、無線リソース制御（ＲＲＣ）構成メッセージにおいてＰＨＩＣＨモニタリングインジケーションを受信し得、ここにおいて、ＰＨＩＣＨモニタリングがディセーブルであるとの決定は、ＰＨＩＣＨモニタリングインジケーションに少なくとも部分的に基づく。
【００９６】
[0099]図４は、本開示の様々な態様による、コンテンションベースＰＵＳＣＨをサポートするワイヤレスデバイス４００のブロック図を示す。ワイヤレスデバイス４００は、図１および２を参照して説明したＵＥ１１５の態様の例であり得る。ワイヤレスデバイス４００は、受信機４０５と、ＵＣＩマネジャ４１０と、送信機４１５とを含み得る。ワイヤレスデバイス４００はまた、プロセッサを含み得る。これらのコンポーネントの各々は、互いに通信状態にあり得る。
【００９７】
[0100]受信機４０５は、パケット、ユーザデータ、または様々な情報チャネルに関連する制御情報（例えば、制御チャネル、データチャネル、およびコンテンションベースＰＵＳＣＨに関連する情報、等）のような情報を受信し得る。情報は、デバイスの他のコンポーネントに伝えられ得る。受信機４０５は、図７を参照して説明するトランシーバ７２５の態様の例であり得る。
【００９８】
[0101]ＵＣＩマネジャ４１０は、サブフレーム中に送信すべきＵＬ制御情報（ＵＣＩ）を識別することと、サブフレーム中にＵＬチャネルに関するスケジューリングタイプを識別することと、ここで、スケジューリングタイプは、コンテンションベーススケジューリングタイプまたは非コンテンションベーススケジューリングタイプを備える、スケジューリングタイプに基づいて、ＵＬチャネル上でＵＣＩを送信するかどうかを決定することとを行い得る。ＵＣＩマネジャ４１０は、スケジューリングタイプに基づいて、ＵＬチャネル上でＵＣＩを送信することを控える（すなわち、送信しない）と決定し得る。ＵＣＩマネジャ４１０はまた、図７を参照して説明するＵＣＩマネジャ７０５の態様の例であり得る。
【００９９】
[0102]送信機４１５は、ワイヤレスデバイス４００の他のコンポーネントから受け取った信号を送信し得る。いくつかの例では、送信機４１５は、トランシーバモジュールにおいて受信機とコロケートされ得る。例えば、送信機４１５は、図７を参照して説明するトランシーバ７２５の態様の例であり得る。送信機４１５は、単一のアンテナを含み得るか、数本のアンテナを含み得る。
【０１００】
[0103]図５は、本開示の様々な態様による、コンテンションベースＰＵＳＣＨをサポートするワイヤレスデバイス５００のブロック図を示す。ワイヤレスデバイス５００は、図１、２、および４を参照して説明したワイヤレスデバイス４００またはＵＥ１１５の態様の例であり得る。ワイヤレスデバイス５００は、受信機５０５と、ＵＣＩマネジャ５１０と、送信機５３０とを含み得る。ワイヤレスデバイス５００はまた、プロセッサを含み得る。これらのコンポーネントの各々は、互いに通信状態にあり得る。
【０１０１】
[0104]受信機５０５は、このデバイスの他のコンポーネントに伝えられ得る情報を受信し得る。受信機５０５はまた、図４の受信機４０５を参照して説明した機能を実行し得る。受信機５０５は、図７を参照して説明するトランシーバ７２５の態様の例であり得る。
【０１０２】
[0105]ＵＣＩマネジャ５１０は、図４を参照して説明したＵＣＩマネジャ４１０の態様の例であり得る。ＵＣＩマネジャ５１０は、ＵＣＩコンポーネント５１５と、スケジューリングタイプコンポーネント５２０と、チャネル選択コンポーネント５２５とを含み得る。ＵＣＩマネジャ５１０は、図７を参照して説明するＵＣＩマネジャ７０５の態様の例であり得る。
【０１０３】
[0106]ＵＣＩコンポーネント５１５は、サブフレーム中に送信すべきＵＬ制御情報（ＵＣＩ）を識別し得る。スケジューリングタイプコンポーネント５２０は、サブフレーム中にＵＬチャネルに関するスケジューリングタイプを識別し得、ここで、スケジューリングタイプは、コンテンションベーススケジューリングタイプまたは非コンテンションベーススケジューリングタイプを備える。
【０１０４】
[0107]チャネル選択コンポーネント５２５は、ＵＣＩの情報タイプに基づいて、ＵＬチャネル上でＵＣＩを送信するかどうかを決定し、ＵＣＩの情報タイプがＨＡＲＱフィードバックであることに基づいて、異なるＵＬチャネル上でＵＣＩを送信し、ＵＣＩの情報タイプがＣＳＩであることに基づいて、ＵＬチャネル上でＵＣＩを送信し、コンテンションプロシージャおよび決定に基づいてＵＬチャネル上でＵＣＩを送信し、スケジューリングタイプに基づいて、ＵＬチャネル上でＵＣＩを送信するかどうかを決定する。チャネル選択コンポーネント５２５は、スケジューリングタイプに基づいて、ＵＬチャネル上でＵＣＩを送信することを控えると決定し得る。いくつかのケースでは、異なるＵＬチャネルは、制御チャネルまたはデータチャネルのうちの少なくとも１つである。いくつかのケースでは、異なるＵＬチャネルは、ＵＬチャネルと同じキャリアに位置する。他の例では、異なるＵＬチャネルは、ＵＬチャネルとは違う異なるキャリアに位置する。
【０１０５】
[0108]送信機５３０は、ワイヤレスデバイス５００の他のコンポーネントから受け取った信号を送信し得る。いくつかの例では、送信機５３０は、トランシーバモジュールにおいて受信機とコロケートされ得る。例えば、送信機５３０は、図７を参照して説明するトランシーバ７２５の態様の例であり得る。送信機５３０は、単一のアンテナを利用し得るか、数本のアンテナを利用し得る。
【０１０６】
[0109]図６は、ワイヤレスデバイス４００またはワイヤレスデバイス５００の対応するコンポーネントの例であり得るＵＣＩマネジャ６００のブロック図を示す。すなわち、ＵＣＩマネジャ６００は、図４および５を参照して説明したＵＣＩマネジャ４１０またはＵＣＩマネジャ５１０の態様の例であり得る。ＵＣＩマネジャ６００はまた、図７を参照して説明するＵＣＩマネジャ７０５の態様の例であり得る。
【０１０７】
[0110]ＵＣＩマネジャ６００は、ＳＰＳコンポーネント６０５と、ＰＨＩＣＨコンポーネント６１０と、ＴＴＩバンドリングコンポーネント６１５と、デュアル接続性コンポーネント６２０と、チャネル選択コンポーネント６２５と、ＵＣＩコンポーネント６３０と、ＤＣＩサーチコンポーネント６３５と、コンテンションプロシージャコンポーネント６４０と、スケジューリングタイプコンポーネント６４５と、ＵＬグラントコンポーネント６５０とを含み得る。これらのモジュールの各々は、（例えば、１つまたは複数のバスを介して）直接的または間接的に互いに通信し得る。
【０１０８】
[0111]ＳＰＳコンポーネント６０５は、ＵＬチャネルの半永続スケジューリング（ＳＰＳ）のための構成またはアクティベーションメッセージのうちの少なくとも１つを受信することと、ここで、スケジューリングタイプは、ＳＰＳに基づいて識別される、ＳＰＳのためのリリースメッセージを受信することとを行い得る。いくつかのケースでは、ＵＬチャネルのＳＰＳは、ＰＵＣＣＨグループのＰＣｅｌｌのために構成される。
【０１０９】
[0112]ＰＨＩＣＨコンポーネント６１０は、物理ＨＡＲＱインジケータチャネル（ＰＨＩＣＨ）モニタリングがＳＰＳに対してディセーブルであると決定し、ＰＨＩＣＨモニタリングがディセーブルであるとの決定に基づいて、ＰＨＩＣＨをモニタリングすることを控えることをＵＣＩマネジャ６００（または、それが一部であるデバイス）に行わせ得る。ＰＨＩＣＨコンポーネント６１０は、ＲＲＣ構成メッセージにおいてＰＨＩＣＨモニタリングインジケーションを受信し得、ＰＨＩＣＨモニタリングがディセーブルであるとの決定は、このＰＨＩＣＨモニタリングインジケーションに基づき得る。ＰＨＩＣＨコンポーネント６１０はまた、ＤＭＲＳサイクリックシフトに基づいて、ＳＰＳのためのＰＨＩＣＨリソースのセットを識別し、ＰＨＩＣＨリソースのセットをモニタし得る。いくつかのケースでは、ＰＨＩＣＨモニタリングがディセーブルであるとの決定は、ＤＭＲＳサイクリックシフトが構成されているかどうかに基づく。
【０１１０】
[0113]ＴＴＩバンドリングコンポーネント６１５は、ＳＰＳの周期性を識別し、このＳＰＳの周期性に基づいてＴＴＩバンドリングがサポートされるかどうかを決定し得る。
【０１１１】
[0114]デュアル接続性コンポーネント６２０は、デュアル接続性構成のためのＰＵＳＣＨ選択パラメータを識別し、このＰＵＳＣＨ選択パラメータに基づいて、デュアル接続性構成のセルを選択し得、ここで、ＵＬチャネルは選択されたセルに関連する。
【０１１２】
[0115]チャネル選択コンポーネント６２５は、ＵＣＩの情報タイプに基づいて、ＵＬチャネル上でＵＣＩを送信するかどうかを決定し得る。チャネル選択コンポーネント６２５は、スケジューリングタイプに基づいて、ＵＬチャネル上でＵＣＩを送信することを控えると決定し得る。チャネル選択コンポーネント６２５はまた、ＵＣＩの情報タイプがＨＡＲＱフィードバックであることに基づいて、異なるＵＬチャネル上でＵＣＩを送信し（または、送信されるようにし）得る。いくつかのケースでは、チャネル選択コンポーネント６２５は、ＵＣＩの情報タイプがＣＳＩであることに基づいて、ＵＬチャネル上のＵＣＩを送信し（または、送信されるようにし）得る。追加的または代替的に、チャネル選択コンポーネント６２５は、コンテンションプロシージャと決定とに基づいて、ＵＬチャネル上でＵＣＩを送信し（または、送信されるようにし）得る。それはまた、スケジューリングタイプに基づいて、ＵＬチャネル上でＵＣＩを送信するかどうかを決定し得る。
【０１１３】
[0116]ＵＣＩコンポーネント６３０は、サブフレーム中に送信すべきＵＬ制御情報（ＵＣＩ）を識別し得る。ＤＣＩサーチコンポーネント６３５は、スケジューリングタイプに基づいて、１つまたは複数のＤＬ制御情報（ＤＣＩ）サーチパラメータを識別し、１つまたは複数のＤＣＩサーチパラメータに基づいて、ＵＥ固有サーチスペースをモニタし得る。
【０１１４】
[0117]コンテンションプロシージャコンポーネント６４０は、スケジューリングタイプを示すＲＲＣ構成メッセージを受信し、スケジューリングタイプのためのＤＭＲＳサイクリックシフトの構成を受信し、スケジューリングタイプに基づいて、ＵＬチャネルのためのコンテンションプロシージャを実行し得る。
【０１１５】
[0118]スケジューリングタイプコンポーネント６４５は、サブフレーム中にＵＬチャネルに関するスケジューリングタイプを識別し得る。スケジューリングタイプは、ここで説明したように、コンテンションベーススケジューリングタイプまたは非コンテンションベーススケジューリングタイプであり得る。ＵＬグラントコンポーネント６５０は、ＵＬチャネルに対するグラントを受信し得、スケジューリングタイプは、このグラントに基づいて識別され得る。
【０１１６】
[0119]図７は、本開示の様々な態様による、コンテンションベースＰＵＳＣＨをサポートするデバイスを含むシステム７００の図を示す。例えば、システム７００は、ＵＥ１１５−ｅを含み得、これは、図１、２、および４〜６を参照して説明したワイヤレスデバイス４００、ワイヤレスデバイス５００、またはＵＥ１１５の例であり得る。
【０１１７】
[0120]ＵＥ１１５−ｅはまた、ＵＣＩマネジャ７０５と、メモリ７１０と、プロセッサ７２０と、トランシーバ７２５と、アンテナ７３０と、ＥＣＣマネジャ７３５とを含み得る。これらのモジュールの各々は、（例えば、１つまたは複数のバスを介して）直接的または間接的に互いに通信し得る。ＵＣＩマネジャ７０５は、図４〜６を参照して説明したＵＣＩマネジャの例であり得る。
【０１１８】
[0121]メモリ７１０は、ランダムアクセスメモリ（ＲＡＭ）および読取専用メモリ（ＲＯＭ）を含み得る。メモリ７１０は、実行されると、ここで説明した様々な機能（例えば、コンテンションベースＰＵＳＣＨ、等）を実行することをプロセッサに、ゆえにＵＥ１１５−ｅに、行わせる命令を含むコンピュータ読取可能でコンピュータ実行可能なソフトウェアを記憶し得る。
【０１１９】
[0122]いくつかのケースでは、ソフトウェア７１５は、プロセッサによって直接には実行可能ではないが、（例えば、コンパイルされ実行されると）、ここで説明した機能を実行することをコンピュータに行わせ得る。プロセッサ７２０は、インテリジェントハードウェアデバイス（例えば、中央処理装置（ＣＰＵ）、マイクロコントローラ、特定用途向け集積回路（ＡＳＩＣ）、等）を含み得る。
【０１２０】
[0123]トランシーバ７２５は、上で説明したように、１つまたは複数のアンテナ、ワイヤードまたはワイヤレスリンクを介して、１つまたは複数のネットワークと双方向に通信し得る。例えば、トランシーバ７２５は、基地局１０５またはＵＥ１１５と双方向に通信し得る。トランシーバ７２５はまた、パケットを変調し、変調されたパケットを、送信するためにアンテナに供給するため、および、アンテナから受け取ったパケットを復調するためのモデムを含み得る。いくつかのケースでは、ワイヤレスデバイスは、単一のアンテナ７３０を含み得る。しかしながら、いくつかのケースでは、デバイスは、複数のワイヤレス送信をコンカレントに送信または受信する能力がある１つより多くのアンテナ７３０を有し得る。
【０１２１】
[0124]ＥＣＣマネジャ７３５は、共有またはアンライセンススペクトルを使用した、低減されたＴＴＩまたはサブフレーム期間を使用した、または多数のコンポーネントキャリアを使用した通信のような拡張コンポーネントキャリア（ｅＣＣ）を使用した動作を可能にし得る。
【０１２２】
[0125]図８は、本開示の様々な態様による、コンテンションベースＰＵＳＣＨをサポートするワイヤレスデバイス８００のブロック図を示す。ワイヤレスデバイス８００は、図１および２を参照して説明した基地局１０５の態様の例であり得る。ワイヤレスデバイス８００は、受信機８０５と、ネットワークＵＣＩマネジャ８１０と、送信機８１５とを含み得る。ワイヤレスデバイス８００はまた、プロセッサを含み得る。これらのコンポーネントの各々は、互いに通信状態にあり得る。
【０１２３】
[0126]受信機８０５は、パケット、ユーザデータ、または様々な情報チャネルに関連する制御情報（例えば、制御チャネル、データチャネル、およびコンテンションベースＰＵＳＣＨに関連する情報、等）のような情報を受信し得る。情報は、デバイスの他のコンポーネントに伝えられ得る。受信機８０５は、図１１を参照して説明するトランシーバ１１２５の態様の例であり得る。
【０１２４】
[0127]ネットワークＵＣＩマネジャ８１０は、ＵＬ制御情報（ＵＣＩ）ハンドリング構成を示す制御メッセージをＵＥに送信することと、サブフレーム中にＵＬチャネルに関するスケジューリングタイプを識別することと、ここで、スケジューリングタイプは、コンテンションベーススケジューリングタイプまたは非コンテンションベーススケジューリングタイプを備える、ＵＥからＵＣＩを受信することとを行い得、ここで、ＵＣＩは、ＵＣＩハンドリング構成とスケジューリングタイプとに基づいて送信される。ネットワークＵＣＩマネジャ８１０はまた、図１１を参照して説明するネットワークＵＣＩマネジャ１１０５の態様の例であり得る。
【０１２５】
[0128]送信機８１５は、ワイヤレスデバイス８００の他のコンポーネントから受け取った信号を送信し得る。いくつかの例では、送信機８１５は、トランシーバモジュールにおいて受信機とコロケートされ得る。例えば、送信機８１５は、図１１を参照して説明するトランシーバ１１２５の態様の例であり得る。送信機８１５は、単一のアンテナを含み得るか、複数のアンテナを含み得る。
【０１２６】
[0129]図９は、本開示の様々な態様による、コンテンションベースＰＵＳＣＨをサポートするワイヤレスデバイス９００のブロック図を示す。ワイヤレスデバイス９００は、図１、２、および８を参照して説明したワイヤレスデバイス８００または基地局１０５の態様の例であり得る。ワイヤレスデバイス９００は、受信機９０５と、ネットワークＵＣＩマネジャ９１０と、送信機９３０とを含み得る。ワイヤレスデバイス９００はまた、プロセッサを含み得る。これらのコンポーネントの各々は、互いに通信状態にあり得る。
【０１２７】
[0130]受信機９０５は、このデバイスの他のコンポーネントに伝えられ得る情報を受信し得る。受信機９０５はまた、図８の受信機８０５を参照して説明した機能を実行し得る。受信機９０５は、図１１を参照して説明するトランシーバ１１２５の態様の例であり得る。
【０１２８】
[0131]ネットワークＵＣＩマネジャ９１０は、図８を参照して説明したネットワークＵＣＩマネジャ８１０の態様のある例であり得る。ネットワークＵＣＩマネジャ９１０は、ＵＣＩ構成コンポーネント９１５と、スケジューリングタイプコンポーネント９２０と、ＵＣＩコンポーネント９２５とを含み得る。ネットワークＵＣＩマネジャ９１０は、図１１を参照して説明するネットワークＵＣＩマネジャ１１０５の態様の例であり得る。
【０１２９】
[0132]ＵＣＩ構成コンポーネント９１５は、ＵＬ制御情報（ＵＣＩ）ハンドリング構成を示す制御メッセージをＵＥに送信し得る。スケジューリングタイプコンポーネント９２０は、サブフレーム中にＵＬチャネルに関するスケジューリングタイプを識別し得、ここで、スケジューリングタイプは、コンテンションベーススケジューリングタイプまたは非コンテンションベーススケジューリングタイプを備える。
【０１３０】
[0133]ＵＣＩコンポーネント９２５は、ＵＥからＵＣＩを受信することと、ここで、ＵＣＩは、ＵＣＩハンドリング構成とスケジューリングタイプとに基づいて送信される、ＵＣＩの情報タイプがＨＡＲＱフィードバックであることに基づいて、異なるＵＬチャネル上でＵＣＩを受信することと、ＵＣＩの情報タイプがＣＳＩであることに基づいて、ＵＬチャネル上でＵＣＩを受信することとを行い得る。いくつかのケースでは、ＵＣＩは、ＵＣＩの情報タイプに基づいて、ＵＬチャネル上で送信される。いくつかのケースでは、異なるＵＬチャネルは、制御チャネルまたはデータチャネルのうちの少なくとも１つである。異なるＵＬチャネルは、ＵＬチャネルと同じキャリアに位置し得る。または、異なるＵＬチャネルは、ＵＬチャネルとは違う異なるキャリアに位置し得る。
【０１３１】
[0134]送信機９３０は、ワイヤレスデバイス９００の他のコンポーネントから受け取った信号を送信し得る。いくつかの例では、送信機９３０は、トランシーバモジュールにおいて受信機とコロケートされ得る。例えば、送信機９３０は、図１１を参照して説明するトランシーバ１１２５の態様の例であり得る。送信機９３０は、単一のアンテナを利用し得るか、数本のアンテナを利用し得る。
【０１３２】
[0135]図１０は、ワイヤレスデバイス８００またはワイヤレスデバイス９００の対応するコンポーネントの例であり得るネットワークＵＣＩマネジャ１０００のブロック図を示す。すなわち、ネットワークＵＣＩマネジャ１０００は、図８および９を参照して説明したネットワークＵＣＩマネジャ８１０またはネットワークＵＣＩマネジャ９１０の態様の例であり得る。ネットワークＵＣＩマネジャ１０００はまた、図１１を参照して説明するネットワークＵＣＩマネジャ１１０５の態様の例であり得る。
【０１３３】
[0136]ネットワークＵＣＩマネジャ１０００は、ＳＰＳコンポーネント１００５と、ＵＣＩ構成コンポーネント１０１０と、デュアル接続性コンポーネント１０１５と、ＵＣＩコンポーネント１０２０と、コンテンションプロシージャコンポーネント１０２５と、ＵＬグラントコンポーネント１０３０と、スケジューリングタイプコンポーネント１０３５と、ＰＨＩＣＨコンポーネント１０４０とを含み得る。これらのモジュールの各々は、（例えば、１つまたは複数のバスを介して）直接的または間接的に互いに通信し得る。
【０１３４】
[0137]ＳＰＳコンポーネント１００５は、ＵＬチャネルの半永続スケジューリング（ＳＰＳ）のための構成またはアクティベーションメッセージのうちの少なくとも１つを送信し得る。ＵＬチャネル上での送信に関するスケジューリングタイプは、ＳＰＳに基づき得る。ＳＰＳコンポーネント１００５は、ＳＰＳのためのリリースメッセージを送信し得る。いくつかのケースでは、ＵＬチャネルのＳＰＳは、ＰＵＣＣＨグループのＰＣｅｌｌのために構成される。ＵＣＩ構成コンポーネント１０１０は、ＵＬ制御情報（ＵＣＩ）ハンドリング構成を示す制御メッセージをＵＥに送信し得る。
【０１３５】
[0138]デュアル接続性コンポーネント１０１５は、デュアル接続性構成のためのＰＵＳＣＨ選択パラメータを識別し、このＰＵＳＣＨ選択パラメータに基づいて、デュアル接続性構成のセルを選択し得る。ＵＬチャネルは、選択されたセルに関連し得る。
【０１３６】
[0139]ＵＣＩコンポーネント１０２０は、ＵＬチャネル上でＵＥからＵＣＩを受信し得る（または、受信されるようにし得る）。ＵＣＩは、例えば、ＵＣＩハンドリング構成とスケジューリングタイプとに基づいて送信され得る。いくつかの例では、ＵＣＩコンポーネント１０２０は、ＵＣＩの情報タイプがＨＡＲＱフィードバックであることに基づいて、異なるＵＬチャネル上でＵＣＩを受信する（または、受信されるようにする）。追加的または代替的に、ＵＣＩコンポーネント１０２０は、ＵＣＩの情報タイプがＣＳＩであることに基づいて、ＵＬチャネル上でＵＣＩを受信し得る（または、受信されるようにし得る）。
【０１３７】
[0140]コンテンションプロシージャコンポーネント１０２５は、スケジューリングタイプを示すＲＲＣ構成メッセージを送信し得（または、送信されるようにし得）、スケジューリングタイプのためのＤＭＲＳサイクリックシフトを示す構成メッセージを送信する（または、送信されるようにする）。ＵＬグラントコンポーネント１０３０は、ＵＬチャネルに対するグラントを送信し得る（または、送信されるようにし得る）。スケジューリングタイプは、いくつかの例では、グラントに基づく。
【０１３８】
[0141]スケジューリングタイプコンポーネント１０３５は、サブフレーム中にＵＬチャネルに関するスケジューリングタイプを識別し得る。スケジューリングタイプは、コンテンションベーススケジューリングタイプまたは非コンテンションベーススケジューリングタイプを含み得る。ＰＨＩＣＨコンポーネント１０４０は、物理ＨＡＲＱインジケータチャネル（ＰＨＩＣＨ）モニタリングがＳＰＳに対してディセーブルであることを示す制御メッセージを送信し得る（または、送信されるようにし得る）。
【０１３９】
[0142]図１１は、本開示の様々な態様による、コンテンションベースＰＵＳＣＨをサポートするデバイスを含むワイヤレスシステム１１００の図を示す。例えば、システム１１００は、図１、２、および８〜１０を参照して説明したワイヤレスデバイス８００、ワイヤレスデバイス９００、または基地局１０５の例であり得る基地局１０５−ｄを含み得る。基地局１０５−ｄはまた、通信を送信するためのコンポーネントおよび通信を受信するためのコンポーネントを含む、双方向音声およびデータ通信のためのコンポーネントを含み得る。例えば、基地局１０５−ｄは、１つまたは複数のＵＥ１１５と双方向に通信し得る。
【０１４０】
[0143]基地局１０５−ｄはまた、ネットワークＵＣＩマネジャ１１０５と、メモリ１１１０と、プロセッサ１１２０と、トランシーバ１１２５と、アンテナ１１３０と、基地局通信モジュール１１３５と、ネットワーク通信モジュール１１４０とを含み得る。これらのモジュールの各々は、（例えば、１つまたは複数のバスを介して）直接的または間接的に互いに通信し得る。ネットワークＵＣＩマネジャ１１０５は、図８〜１０を参照して説明したネットワークＵＣＩマネジャの例であり得る。
【０１４１】
[0144]メモリ１１１０は、ＲＡＭおよびＲＯＭを含み得る。メモリ１１１０は、実行されると、ここで説明した様々な機能（例えば、コンテンションベースＰＵＳＣＨ、等）を実行することをプロセッサに、ゆえに、基地局１０５−ｄまたは基地局１０５−ｄのコンポーネントに、行わせる命令を含むコンピュータ読取可能でコンピュータ実行可能なソフトウェアを記憶し得る。いくつかのケースでは、ソフトウェア１１１５は、プロセッサによって直接には実行可能ではないが、（例えば、コンパイルされ実行されると）、ここで説明した機能を実行することをコンピュータに行わせ得る。プロセッサ１１２０は、インテリジェントハードウェアデバイス（例えば、ＣＰＵ、マイクロコントローラ、ＡＳＩＣ、等）を含み得る。
【０１４２】
[0145]トランシーバ１１２５は、上で説明したように、１つまたは複数のアンテナ、ワイヤードまたはワイヤレスリンクを介して、１つまたは複数のネットワークと双方向に通信し得る。例えば、トランシーバ１１２５は、基地局１０５またはＵＥ１１５と双方向に通信し得る。トランシーバ１１２５はまた、パケットを変調し、変調されたパケットを、送信するためにアンテナに供給するため、および、アンテナから受け取ったパケットを復調するためのモデムを含み得る。いくつかのケースでは、ワイヤレスデバイスは、単一のアンテナ１１３０を含み得る。しかしながら、いくつかのケースでは、デバイスは、複数のワイヤレス送信をコンカレントに送信または受信する能力がある１つより多くのアンテナ７３０を有し得る。
【０１４３】
[0146]基地局通信モジュール１１３５は、他の基地局１０５との通信を管理し得、他の基地局１０５と協力してＵＥ１１５との通信を制御するためのコントローラまたはスケジューラを含み得る。例えば、基地局通信モジュール１１３５は、ビームフォーミングまたはジョイント送信のような様々な干渉緩和技法のために、ＵＥ１１５への送信のためのスケジューリングを調整し得る。いくつかの例では、基地局通信モジュール１１３５は、基地局１０５間の通信を提供するために、ＬＴＥ／ＬＴＥ−Ａワイヤレス通信ネットワーク技術内のＸ２インターフェースを提供する。
【０１４４】
[0147]ネットワーク通信モジュール１１４０は、（例えば、１つまたは複数のワイヤードバックホールリンクを介した）コアネットワークとの通信を管理し得る。例えば、ネットワーク通信モジュール１１４０は、１つまたは複数のＵＥ１１５のようなクライアントデバイスのためのデータ通信の移送を管理し得る。
【０１４５】
[0148]図１２は、本開示の様々な態様による、コンテンションベースＰＵＳＣＨのための方法１２００を例示するフローチャートを示す。方法１２００の動作は、図１および２を参照して説明したＵＥ１１５またはそのコンポーネントのようなデバイスによってインプリメントされ得る。例えば、方法１２００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１４６】
[0149]ブロック１２０５において、ＵＥ１１５は、図２〜３を参照して上で説明したように、サブフレーム中に送信すべきＵＬ制御情報（ＵＣＩ）を識別し得る。特定の例では、ブロック１２０５の動作は、図５および６を参照して説明したように、ＵＣＩコンポーネントによって、または、図７を参照して説明したプロセッサ７２０によって実行され得る。
【０１４７】
[0150]ブロック１２１０において、ＵＥ１１５は、図２〜３を参照して上で説明したように、サブフレーム中にＵＬチャネルに関するスケジューリングタイプを識別し得る。例えば、スケジューリングタイプは、コンテンションベーススケジューリングタイプまたは非コンテンションベーススケジューリングタイプである。特定の例では、ブロック１２１０の動作は、図５および６を参照して説明したように、スケジューリングタイプコンポーネントによって、または、図７を参照して説明したプロセッサ７２０によって実行され得る。
【０１４８】
[0151]ブロック１２１５において、ＵＥ１１５は、図２〜３を参照して上で説明したように、スケジューリングタイプに基づいて、ＵＬチャネル上でＵＣＩを送信するかどうかを決定し得る。この方法は、スケジューリングタイプに基づいて、ＵＬチャネル上でＵＣＩを送信することを控えることを含み得る。特定の例では、ブロック１２１５の動作は、図５および６を参照して説明したように、チャネル選択コンポーネントによって、または、図７を参照して説明したプロセッサ７２０によって実行され得る。
【０１４９】
[0152]図１３は、本開示の様々な態様による、コンテンションベースＰＵＳＣＨのための方法１３００を例示するフローチャートを示す。方法１３００の動作は、図１および２を参照して説明したＵＥ１１５またはそのコンポーネントのようなデバイスによってインプリメントされ得る。例えば、方法１３００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１５０】
[0153]ブロック１３０５において、ＵＥ１１５は、図２〜３を参照して上で説明したように、ＵＬチャネルに対するグラントを受信し得、ここで、スケジューリングタイプは、グラントに基づいて識別される。特定の例では、ブロック１３０５の動作は、図５および６を参照して説明したように、ＵＬグラントコンポーネントによって、または、図７を参照して説明したトランシーバ７２５およびアンテナ７３０によって実行され得る。
【０１５１】
[0154]ブロック１３１０において、ＵＥ１１５は、図２〜３を参照して上で説明したように、サブフレーム中に送信すべきＵＬ制御情報（ＵＣＩ）を識別し得る。特定の例では、ブロック１３１０の動作は、図５および６を参照して説明したように、ＵＣＩコンポーネントによって、または、図７を参照して説明したプロセッサ７２０によって実行され得る。
【０１５２】
[0155]ブロック１３１５において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１３１５の動作は、図５および６を参照して説明したように、スケジューリングタイプコンポーネントによって、または、図７を参照して説明したプロセッサ７２０によって実行され得る。
【０１５３】
[0156]ブロック１３２０において、ＵＥ１１５は、図２〜３を参照して上で説明したように、スケジューリングタイプに基づいて、ＵＬチャネル上でＵＣＩを送信するかどうかを決定し得る。特定の例では、ブロック１３２０の動作は、図５および６を参照して説明したように、チャネル選択コンポーネントによって、または、図７を参照して説明したプロセッサ７２０によって実行され得る。
【０１５４】
[0157]図１４は、本開示の様々な態様による、コンテンションベースＰＵＳＣＨのための方法１４００を例示するフローチャートを示す。方法１４００の動作は、図１および２を参照して説明したＵＥ１１５またはそのコンポーネントのようなデバイスによってインプリメントされ得る。例えば、方法１４００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１５５】
[0158]ブロック１４０５において、ＵＥ１１５は、図２〜３を参照して上で説明したように、ＵＬチャネルの半永続スケジューリング（ＳＰＳ）のための構成またはアクティベーションメッセージのうちの少なくとも１つを受信し得、ここで、スケジューリングタイプは、ＳＰＳに基づいて識別される。特定の例では、ブロック１４０５の動作は、図５および６を参照して説明したように、ＳＰＳコンポーネントによって、または、図７を参照して説明したトランシーバ７２５およびアンテナ７３０によって実行され得る。
【０１５６】
[0159]ブロック１４１０において、ＵＥ１１５は、図２〜３を参照して上で説明したように、サブフレーム中に送信すべきＵＬ制御情報（ＵＣＩ）を識別し得る。特定の例では、ブロック１４１０の動作は、図５および６を参照して説明したように、ＵＣＩコンポーネントによって、または、図７を参照して説明したプロセッサ７２０によって実行され得る。
【０１５７】
[0160]ブロック１４１５において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１４１５の動作は、図５および６を参照して説明したように、スケジューリングタイプコンポーネントによって、または、図７を参照して説明したプロセッサ７２０によって実行され得る。
【０１５８】
[0161]ブロック１４２０において、ＵＥ１１５は、図２〜３を参照して上で説明したように、スケジューリングタイプに基づいて、ＵＬチャネル上でＵＣＩを送信するかどうかを決定し得る。特定の例では、ブロック１４２０の動作は、図５および６を参照して説明したように、チャネル選択コンポーネントによって、または、図７を参照して説明したプロセッサ７２０によって実行され得る。
【０１５９】
[0162]図１５は、本開示の様々な態様による、コンテンションベースＰＵＳＣＨのための方法１５００を例示するフローチャートを示す。方法１５００の動作は、図１および２を参照して説明したＵＥ１１５またはそのコンポーネントのようなデバイスによってインプリメントされ得る。例えば、方法１５００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１６０】
[0163]ブロック１５０５において、ＵＥ１１５は、図２〜３を参照して上で説明したように、ＵＬチャネルの半永続スケジューリング（ＳＰＳ）のための構成またはアクティベーションメッセージのうちの少なくとも１つを受信し得、ここで、スケジューリングタイプは、ＳＰＳに基づいて識別される。特定の例では、ブロック１５０５の動作は、図５および６を参照して説明したように、ＳＰＳコンポーネントによって、または、図７を参照して説明したトランシーバ７２５およびアンテナ７３０によって実行され得る。
【０１６１】
[0164]ブロック１５１０において、ＵＥ１１５は、図２〜３を参照して上で説明したように、サブフレーム中に送信すべきＵＬ制御情報（ＵＣＩ）を識別し得る。特定の例では、ブロック１５１０の動作は、図５および６を参照して説明したように、ＵＣＩコンポーネントによって、または、図７を参照して説明したプロセッサ７２０によって実行され得る。
【０１６２】
[0165]ブロック１５１５において、ＵＥ１１５は、図２〜３を参照して上で説明した、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１５１５の動作は、図５および６を参照して説明したように、スケジューリングタイプコンポーネントによって、または、図７を参照して説明したプロセッサ７２０によって実行され得る。
【０１６３】
[0166]ブロック１５２０において、ＵＥ１１５は、図２〜３を参照して上で説明したように、スケジューリングタイプに基づいて、ＵＬチャネル上でＵＣＩを送信するかどうかを決定し得る。特定の例では、ブロック１５２０の動作は、図５および６を参照して説明したように、チャネル選択コンポーネントによって、または、図７を参照して説明したプロセッサ７２０によって実行され得る。
【０１６４】
[0167]ブロック１５２５において、ＵＥ１１５は、図２〜３を参照して上で説明したように、物理ＨＡＲＱインジケータチャネル（ＰＨＩＣＨ）モニタリングがＳＰＳに対してディセーブルであると決定し得る。特定の例では、ブロック１５２５の動作は、図５および６を参照して説明したように、ＰＨＩＣＨコンポーネントによって、または、図７を参照して説明したプロセッサ７２０によって実行され得る。
【０１６５】
[0168]ブロック１５３０において、ＵＥ１１５は、図２〜３を参照して上で説明したように、ＰＨＩＣＨモニタリングがディセーブルであるとの決定に基づいて、ＰＨＩＣＨをモニタすることを控え得る。特定の例では、ブロック１５３０の動作は、図５および６を参照して説明したように、ＰＨＩＣＨコンポーネントによって、または、図７を参照して説明したプロセッサ７２０、トランシーバ７２５、および／またはアンテナ７３０によって実行され得る。
【０１６６】
[0169]図１６は、本開示の様々な態様による、コンテンションベースＰＵＳＣＨのための方法１６００を例示するフローチャートを示す。方法１６００の動作は、図１および２を参照して説明したＵＥ１１５またはそのコンポーネントのようなデバイスによってインプリメントされ得る。例えば、方法１６００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１６７】
[0170]ブロック１６０５において、ＵＥ１１５は、図２〜３を参照して上で説明したように、ＵＬチャネルの半永続スケジューリング（ＳＰＳ）のための構成またはアクティベーションメッセージのうちの少なくとも１つを受信し得、ここで、スケジューリングタイプは、ＳＰＳに基づいて識別される。特定の例では、ブロック１６０５の動作は、図５および６を参照して説明したように、ＳＰＳコンポーネントによって、または、図７を参照して説明したトランシーバ７２５およびアンテナ７３０によって実行され得る。
【０１６８】
[0171]ブロック１６１０において、ＵＥ１１５は、図２〜３を参照して上で説明したように、サブフレーム中に送信すべきＵＬ制御情報（ＵＣＩ）を識別し得る。特定の例では、ブロック１６１０の動作は、図５および６を参照して説明したように、ＵＣＩコンポーネントによって、または、図７を参照して説明したプロセッサ７２０によって実行され得る。
【０１６９】
[0172]ブロック１６１５において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１６１５の動作は、図５および６を参照して説明したように、スケジューリングタイプコンポーネントによって、または、図７を参照して説明したプロセッサ７２０によって実行され得る。
【０１７０】
[0173]ブロック１６２０において、ＵＥ１１５は、図２〜３を参照して上で説明したように、スケジューリングタイプに基づいて、ＵＬチャネル上でＵＣＩを送信するかどうかを決定し得る。特定の例では、ブロック１６２０の動作は、図５および６を参照して説明したように、チャネル選択コンポーネントによって、または、図７を参照して説明したプロセッサ７２０によって実行され得る。
【０１７１】
[0174]ブロック１６２５において、ＵＥ１１５は、図２〜３を参照して上で説明したように、ＤＭＲＳサイクリックシフトに基づいて、ＳＰＳのためのＰＨＩＣＨリソースのセットを識別し得る。特定の例では、ブロック１６２５の動作は、図５および６を参照して説明したように、ＰＨＩＣＨコンポーネントによって、または、図７を参照して説明したプロセッサ７２０によって実行され得る。
【０１７２】
[0175]ブロック１６３０において、ＵＥ１１５は、図２〜３を参照して上で説明したように、ＰＨＩＣＨリソースのセットをモニタし得る。特定の例では、ブロック１６３０の動作は、図５および６を参照して説明したように、ＰＨＩＣＨコンポーネントによって、または、図７を参照して説明したプロセッサ７２０、トランシーバ７２５、および／またはアンテナ７３０によって実行され得る。
【０１７３】
[0176]図１７は、本開示の様々な態様による、コンテンションベースＰＵＳＣＨのための方法１７００を例示するフローチャートを示す。方法１７００の動作は、図１および２を参照して説明したＵＥ１１５またはそのコンポーネントのようなデバイスによってインプリメントされ得る。例えば、方法１７００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１７４】
[0177]ブロック１７０５において、ＵＥ１１５は、図２〜３を参照して上で説明したように、ＵＬチャネルの半永続スケジューリング（ＳＰＳ）のための構成またはアクティベーションメッセージのうちの少なくとも１つを受信し得、ここで、スケジューリングタイプは、ＳＰＳに基づいて識別される。特定の例では、ブロック１７０５の動作は、図５および６を参照して説明したように、ＳＰＳコンポーネントによって、または、図７を参照して説明したトランシーバ７２５およびアンテナ７３０によって実行され得る。
【０１７５】
[0178]ブロック１７１０において、ＵＥ１１５は、図２〜３を参照して上で説明したように、サブフレーム中に送信すべきＵＬ制御情報（ＵＣＩ）を識別し得る。特定の例では、ブロック１７１０の動作は、図５および６を参照して説明したように、ＵＣＩコンポーネントによって、または、図７を参照して説明したプロセッサ７２０によって実行され得る。
【０１７６】
[0179]ブロック１７１５において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１７１５の動作は、図５および６を参照して説明したように、スケジューリングタイプコンポーネントによって、または、図７を参照して説明したプロセッサ７２０によって実行され得る。
【０１７７】
[0180]ブロック１７２０において、ＵＥ１１５は、図２〜３を参照して上で説明したように、スケジューリングタイプに基づいて、ＵＬチャネル上でＵＣＩを送信するかどうかを決定し得る。特定の例では、ブロック１７２０の動作は、図５および６を参照して説明したように、チャネル選択コンポーネントによって、または、図７を参照して説明したプロセッサ７２０によって実行され得る。
【０１７８】
[0181]ブロック１７２５において、ＵＥ１１５は、図２〜３を参照して上で説明したように、ＳＰＳの周期性を識別し得る。特定の例では、ブロック１７２５の動作は、図５および６を参照して説明したように、ＴＴＩバンドリングコンポーネントによって、または、図７を参照して説明したプロセッサ７２０によって実行され得る。
【０１７９】
[0182]ブロック１７３０において、ＵＥ１１５は、図２〜３を参照して上で説明したように、ＳＰＳの周期性に基づいて、ＴＴＩバンドリングがサポートされるかどうかを決定し得る。特定の例では、ブロック１７３０の動作は、図５および６を参照して説明したように、ＴＴＩバンドリングコンポーネントによって、または、図７を参照して説明したプロセッサ７２０によって実行され得る。
【０１８０】
[0183]図１８は、本開示の様々な態様による、コンテンションベースＰＵＳＣＨのための方法１８００を例示するフローチャートを示す。方法１８００の動作は、図１および２を参照して説明したＵＥ１１５またはそのコンポーネントのようなデバイスによってインプリメントされ得る。例えば、方法１８００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１８１】
[0184]ブロック１８０５において、ＵＥ１１５は、図２〜３を参照して上で説明したように、ＵＬチャネルの半永続スケジューリング（ＳＰＳ）のための構成またはアクティベーションメッセージのうちの少なくとも１つを受信し得、ここで、スケジューリングタイプは、ＳＰＳに基づいて識別される。特定の例では、ブロック１８０５の動作は、図５および６を参照して説明したように、ＳＰＳコンポーネントによって、または、図７を参照して説明したトランシーバ７２５およびアンテナ７３０によって実行され得る。
【０１８２】
[0185]ブロック１８１０において、ＵＥ１１５は、図２〜３を参照して上で説明したように、デュアル接続性構成のためのＰＵＳＣＨ選択パラメータを識別し得る。特定の例では、ブロック１８１０の動作は、図５および６を参照して説明したように、デュアル接続性コンポーネントによって、または、図７を参照して説明したプロセッサ７２０によって実行され得る。
【０１８３】
[0186]ブロック１８１５において、ＵＥ１１５は、図２〜３を参照して上で説明したように、ＰＵＳＣＨ選択パラメータに基づいて、デュアル接続性構成のセルを選択し得、ここで、ＵＬチャネルは、選択されたセルに関連する。特定の例では、ブロック１８１５の動作は、図５および６を参照して説明したように、デュアル接続性コンポーネントによって、または、図７を参照して説明したプロセッサ７２０によって実行され得る。
【０１８４】
[0187]ブロック１８２０において、ＵＥ１１５は、図２〜３を参照して上で説明したように、サブフレーム中に送信すべきＵＬ制御情報（ＵＣＩ）を識別し得る。特定の例では、ブロック１８２０の動作は、図５および６を参照して説明したように、ＵＣＩコンポーネントによって、または、図７を参照して説明したプロセッサ７２０によって実行され得る。
【０１８５】
[0188]ブロック１８２５において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１８２５の動作は、図５および６を参照して説明したように、スケジューリングタイプコンポーネントによって、または、図７を参照して説明したプロセッサ７２０によって実行され得る。
【０１８６】
[0189]ブロック１８３０において、ＵＥ１１５は、図２〜３を参照して上で説明したように、スケジューリングタイプに基づいて、ＵＬチャネル上でＵＣＩを送信するかどうかを決定し得る。特定の例では、ブロック１８３０の動作は、図５および６を参照して説明したように、チャネル選択コンポーネントによって、または、図７を参照して説明したプロセッサ７２０によって実行され得る。
【０１８７】
[0190]図１９は、本開示の様々な態様による、コンテンションベースＰＵＳＣＨのための方法１９００を例示するフローチャートを示す。方法１９００の動作は、図１および２を参照して説明したＵＥ１１５またはそのコンポーネントのようなデバイスによってインプリメントされ得る。例えば、方法１９００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１８８】
[0191]ブロック１９０５において、ＵＥ１１５は、図２〜３を参照して上で説明したように、サブフレーム中に送信すべきＵＬ制御情報（ＵＣＩ）を識別し得る。特定の例では、ブロック１９０５の動作は、図５および６を参照して説明したように、ＵＣＩコンポーネントによって、または、図７を参照して説明したプロセッサ７２０によって実行され得る。
【０１８９】
[0192]ブロック１９１０において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック１９１０の動作は、図５および６を参照して説明したように、スケジューリングタイプコンポーネントによって、または、図７を参照して説明したプロセッサ７２０によって実行され得る。
【０１９０】
[0193]ブロック１９１５において、ＵＥ１１５は、図２〜３を参照して上で説明したように、スケジューリングタイプに基づいて、ＵＬチャネル上でＵＣＩを送信するかどうかを決定し得る。特定の例では、ブロック１９１５の動作は、図５および６を参照して説明したように、チャネル選択コンポーネントによって、または、図７を参照して説明したプロセッサ７２０によって実行され得る。
【０１９１】
[0194]ブロック１９２０において、ＵＥ１１５は、図２〜３を参照して上で説明したように、ＵＣＩの情報タイプに基づいて、ＵＬチャネル上でＵＣＩを送信するかどうかを決定し得る。特定の例では、ブロック１９２０の動作は、図５および６を参照して説明したように、チャネル選択コンポーネントによって、または、図７を参照して説明したプロセッサ７２０によって実行され得る。
【０１９２】
[0195]ブロック１９２５において、ＵＥ１１５は、図２〜３を参照して上で説明したように、ＵＣＩの情報タイプがＨＡＲＱフィードバックであることに基づいて、異なるＵＬチャネル上でＵＣＩを送信し得る。特定の例では、ブロック１９２５の動作は、図５および６を参照して説明したように、チャネル選択コンポーネントによって、または、図７を参照して説明したトランシーバ７２５およびアンテナ７３０によって実行され得る。
【０１９３】
[0196]図２０は、本開示の様々な態様による、コンテンションベースＰＵＳＣＨのための方法２０００を例示するフローチャートを示す。方法２０００の動作は、図１および２を参照して説明したＵＥ１１５またはそのコンポーネントのようなデバイスによってインプリメントされ得る。例えば、方法２０００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０１９４】
[0197]ブロック２００５において、ＵＥ１１５は、図２〜３を参照して上で説明したように、サブフレーム中に送信すべきＵＬ制御情報（ＵＣＩ）を識別し得る。特定の例では、ブロック２００５の動作は、図５および６を参照して説明したように、ＵＣＩコンポーネントによって、または、図７を参照して説明したプロセッサ７２０によって実行され得る。
【０１９５】
[0198]ブロック２０１０において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック２０１０の動作は、図５および６を参照して説明したように、スケジューリングタイプコンポーネントによって、または、図７を参照して説明したプロセッサ７２０によって実行され得る。
【０１９６】
[0199]ブロック２０１５において、ＵＥ１１５は、図２〜３を参照して上で説明したように、スケジューリングタイプに基づいて、ＵＬチャネル上でＵＣＩを送信するかどうかを決定し得る。特定の例では、ブロック２０１５の動作は、図５および６を参照して説明したように、チャネル選択コンポーネントによって、または、図７を参照して説明したプロセッサ７２０によって実行され得る。
【０１９７】
[0200]ブロック２０２０において、ＵＥ１１５は、図２〜３を参照して上で説明したように、ＵＣＩの情報タイプに基づいて、ＵＬチャネル上でＵＣＩを送信するかどうかを決定し得る。特定の例では、ブロック２０２０の動作は、図５および６を参照して説明したように、チャネル選択コンポーネントによって、または、図７を参照して説明したプロセッサ７２０によって実行され得る。
【０１９８】
[0201]ブロック２０２５において、ＵＥ１１５は、図２〜３を参照して上で説明したように、ＵＣＩの情報タイプがＣＳＩであることに基づいて、ＵＬチャネル上でＵＣＩを送信し得る。特定の例では、ブロック２０２５の動作は、図５および６を参照して説明したように、チャネル選択コンポーネントによって、または、図７を参照して説明したトランシーバ７２５およびアンテナ７３０によって実行され得る。
【０１９９】
[0202]図２１は、本開示の様々な態様による、コンテンションベースＰＵＳＣＨのための方法２１００を例示するフローチャートを示す。方法２１００の動作は、図１および２を参照して説明したＵＥ１１５またはそのコンポーネントのようなデバイスによってインプリメントされ得る。例えば、方法２１００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０２００】
[0203]ブロック２１０５において、ＵＥ１１５は、図２〜３を参照して上で説明したように、スケジューリングタイプのためのＤＭＲＳサイクリックシフトの構成を受信し得る。特定の例では、ブロック２１０５の動作は、図５および６を参照して説明したように、コンテンションプロシージャコンポーネントによって、または、図７を参照して説明したトランシーバ７２５およびアンテナ７３０によって実行され得る。
【０２０１】
[0204]ブロック２１１０において、ＵＥ１１５は、図２〜３を参照して上で説明したように、サブフレーム中に送信すべきＵＬ制御情報（ＵＣＩ）を識別し得る。特定の例では、ブロック２１１０の動作は、図５および６を参照して説明したように、ＵＣＩコンポーネントによって、または、図７を参照して説明したプロセッサ７２０によって実行され得る。
【０２０２】
[0205]ブロック２１１５において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック２１１５の動作は、図５および６を参照して説明したように、スケジューリングタイプコンポーネントによって、または、図７を参照して説明したプロセッサ７２０によって実行され得る。
【０２０３】
[0206]ブロック２１２０において、ＵＥ１１５は、図２〜３を参照して上で説明したように、スケジューリングタイプに基づいて、ＵＬチャネル上でＵＣＩを送信するかどうかを決定し得る。特定の例では、ブロック２１２０の動作は、図５および６を参照して説明したように、チャネル選択コンポーネントによって、または、図７を参照して説明したプロセッサ７２０によって実行され得る。
【０２０４】
[0207]図２２は、本開示の様々な態様による、コンテンションベースＰＵＳＣＨのための方法２２００を例示するフローチャートを示す。方法２２００の動作は、図１および２を参照して説明したＵＥ１１５またはそのコンポーネントのようなデバイスによってインプリメントされ得る。例えば、方法２２００の動作は、ここで説明したように、ＵＣＩマネジャによって実行され得る。いくつかの例では、ＵＥ１１５は、以下で説明する機能を実行するためにデバイスの機能要素を制御するためのコードのセットを実行し得る。追加的または代替的に、ＵＥ１１５は、専用ハードウェアを使用して、以下で説明する機能の態様を実行し得る。
【０２０５】
[0208]ブロック２２０５において、ＵＥ１１５は、図２〜３を参照して上で説明したように、サブフレーム中に送信すべきＵＬ制御情報（ＵＣＩ）を識別し得る。特定の例では、ブロック２２０５の動作は、図５および６を参照して説明したように、ＵＣＩコンポーネントによって、または、図７を参照して説明したプロセッサ７２０によって実行され得る。
【０２０６】
[0209]ブロック２２１０において、ＵＥ１１５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック２２１０の動作は、図５および６を参照して説明したように、スケジューリングタイプコンポーネントによって、または、図７を参照して説明したプロセッサ７２０によって実行され得る。
【０２０７】
[0210]ブロック２２１５において、ＵＥ１１５は、図２〜３を参照して上で説明したように、スケジューリングタイプに基づいて、ＵＬチャネル上でＵＣＩを送信するかどうかを決定し得る。特定の例では、ブロック２２１５の動作は、図５および６を参照して説明したように、チャネル選択コンポーネントによって、または、図７を参照して説明したプロセッサ７２０によって実行され得る。
【０２０８】
[0211]ブロック２２２０において、ＵＥ１１５は、図２〜３を参照して上で説明したように、スケジューリングタイプに基づいて、１つまたは複数のＤＬ制御情報（ＤＣＩ）サーチパラメータを識別し得る。特定の例では、ブロック２２２０の動作は、図５および６を参照して説明したように、ＤＣＩサーチコンポーネントによって、または、図７を参照して説明したプロセッサ７２０によって実行され得る。
【０２０９】
[0212]ブロック２２２５において、ＵＥ１１５は、図２〜３を参照して上で説明したように、１つまたは複数のＤＣＩサーチパラメータに基づいて、ＵＥ固有サーチスペースをモニタし得る。特定の例では、ブロック２２２５の動作は、図５および６を参照して説明したように、ＤＣＩサーチコンポーネントによって、または、図７を参照して説明したプロセッサ７２０、トランシーバ７２５、および／またはアンテナ７３０によって実行され得る。
【０２１０】
[0213]図２３は、本開示の様々な態様による、コンテンションベースＰＵＳＣＨのための方法２３００を例示するフローチャートを示す。方法２３００の動作は、図１および２を参照して説明したように、基地局１０５またはそのコンポーネントのようなデバイスによってインプリメントし得る。例えば、方法２３００の動作は、ここで説明したように、ネットワークＵＣＩマネジャによって実行され得る。いくつかの例では、基地局１０５は、以下で説明する機能を実行するためにデバイスの機能要素を制御するためのコードのセットを実行し得る。追加的または代替的に、基地局１０５は、専用ハードウェアを使用して、以下で説明する機能の態様を実行し得る。
【０２１１】
[0214]ブロック２３０５において、基地局１０５は、図２〜３を参照して上で説明したように、ＵＬ制御情報（ＵＣＩ）ハンドリング構成を示す制御メッセージをＵＥに送信し得る。特定の例では、ブロック２３０５の動作は、図９および１０を参照して説明したように、ＵＣＩ構成コンポーネントによって、または、図１１を参照して説明したトランシーバ１１２５およびアンテナ１１３０によって実行され得る。
【０２１２】
[0215]ブロック２３１０において、基地局１０５は、図２〜３を参照して上で説明したように、サブフレーム中にＵＬチャネルに関するスケジューリングタイプを識別し得る。スケジューリングタイプは、例えば、コンテンションベーススケジューリングタイプまたは非コンテンションベーススケジューリングタイプであり得る。特定の例では、ブロック２３１０の動作は、図９および１０を参照して説明したように、スケジューリングタイプコンポーネントによって、または、図１１を参照して説明したプロセッサ１１２０によって実行され得る。
【０２１３】
[0216]ブロック２３１５において、基地局１０５は、図２〜３を参照して上で説明したように、ＵＥからＵＣＩを受信し得、ここで、ＵＣＩは、ＵＣＩハンドリング構成とスケジューリングタイプとに基づいて送信される。特定の例では、ブロック２３１５の動作は、図９および１０を参照して説明したように、ＵＣＩコンポーネントによって、または、図１１を参照して説明したトランシーバ１１２５およびアンテナ１１３０によって実行され得る。
【０２１４】
[0217]これらの方法が、可能なインプリメンテーションを説明すること、および、動作およびステップが、他のインプリメンテーションが可能になるように、再配列されるかまたは他の方法で修正され得ることは留意されるべきである。いくつかの例では、これら方法のうちの２つ以上からの態様が組み合わせられ得る。例えば、それら方法の各々の方法の態様は、それ以外の方法のステップまたは態様、またはここで説明した他のステップまたは技法を含み得る。ゆえに、本開示の態様は、コンテンションベースＰＵＳＣＨを提供し得る。
【０２１５】
[0218]ここでの説明は、当業者による本開示の製造または使用を可能にするために提供される。本開示への様々な修正は、当業者には容易に明らかとなり、ここで定義された包括的な原理は、本開示の範囲から逸脱することなく、他の変形に適用され得る。ゆえに、本開示は、ここで説明した例および設計に限定されるべきではなく、ここで開示された原理および新規の特徴に合致する最も広い範囲を与えられるべきである。
【０２１６】
[0219]ここで説明した機能は、ハードウェア、プロセッサによって実行されるソフトウェア、ファームウェア、またはそれらの任意の組合せでインプリメントされ得る。プロセッサによって実行されるソフトウェアでインプリメントされる場合、これら機能は、コンピュータ読取可能な媒体上で、１つまたは複数の命令またはコードとして記憶または送信され得る。他の例およびインプリメンテーションは、添付の特許請求の範囲および本開示の範囲内である。例えば、ソフトウェアの性質により、上で説明された機能は、プロセッサ、ハードウェア、ファームウェア、ハードワイヤリング、またはこれらの任意のものの組合せによって実行されるソフトウェアを使用してインプリメントされることができる。機能をインプリメントする特徴はまた、様々な位置に物理的に位置し得、これは、機能の部分が異なる物理的な位置においてインプリメントされるように分散されることを含む。また、特許請求の範囲を含め、ここで使用される場合、項目のリスト（例えば、「〜のうちの少なくとも１つ」または「１つまたは複数」という表現で始まる項目のリスト）中で使用される「または／あるいは」は、例えば、Ａ、Ｂ、またはＣのうちの少なくとも１つというリストが、ＡまたはＢまたはＣまたはＡＢまたはＡＣまたはＢＣまたはＡＢＣ（すなわち、ＡおよびＢおよびＣ）を意味するような、包含的なリストを示す。
【０２１７】
[0220]コンピュータ読取可能な媒体は、ある場所から別の場所へのコンピュータプログラムの移動を容易にする任意の媒体を含む通信媒体と非一時的なコンピュータ記憶媒体との両方を含む。非一時的な記憶媒体は、汎用または専用コンピュータによってアクセスされることができる任意の利用可能な媒体であり得る。限定ではなく例として、非一時的なコンピュータ読取可能な媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または専用コンピュータあるいは汎用または専用プロセッサによってアクセスされることができる任意の他の非一時的な媒体を備えることができる。また、任意の接続は、厳密にはコンピュータ読取可能な媒体と称される。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他のリモートソースから送信される場合、この同軸ケーブル、光ファイバーケーブル、ツイストペア、ＤＳＬ、または赤外線、電波、およびマイクロ波のようなワイヤレス技術は、媒体の定義に含まれる。ここで使用される場合、ディスク（disk）およびディスク（disc）は、ＣＤ、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。上記の組合せもまた、コンピュータ読取可能な媒体の範囲内に含まれる。
【０２１８】
[0221]ここで説明した技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムのような、様々なワイヤレス通信システムのために使用され得る。「システム」および「ネットワーク」という用語は、交換して使用されることが多い。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格を含む。ＩＳ−２０００リリース０およびＡは、一般に、ＣＤＭＡ２０００ １Ｘ、１Ｘ、等と呼ばれる。ＩＳ−８５６（ＴＩＡ−８５６）は、一般に、ＣＤＭＡ２０００ １ｘＥＶ−ＤＯ、高レートパケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、（モバイル通信のためのグローバルシステム（ＧＳＭ（登録商標）））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１、ＩＥＥＥ８０２．１６（ＷｉＭＡＸ）、ＩＥＥＥ８０２．２０、Ｆｌａｓｈ−ＯＦＤＭ、等の無線技術をインプリメントし得る。ＵＴＲＡおよびＥ−ＵＴＲＡは、ユニバーサルモバイル電気通信システム（ユニバーサルモバイル電気通信システム（ＵＭＴＳ））の一部である。３ＧＰＰ（登録商標） ＬＴＥおよびＬＴＥ−アドバンスド（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に説明されている。ここで説明した技法は、上述したシステムおよび無線技術ならびに他のシステムおよび無線技術のために使用され得る。しかしながら、ここでの説明は、本技法はＬＴＥアプリケーションを超えて適用可能であるが、例示のためにＬＴＥシステムを説明し、ＬＴＥの専門用語が上記の説明の大部分において使用されている。
【０２１９】
[0222]ここで説明したネットワークを含む、ＬＴＥ／ＬＴＥ−Ａネットワークでは、発展型ノードＢ（ｅＮＢ）という用語は、概して、基地局を説明するために使用され得る。ここで説明した１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、文脈に依存して、基地局、基地局に関連するキャリアまたはコンポーネントキャリア（ＣＣ）、あるいはキャリアまたは基地局のカバレッジエリア（例えば、セクタ、等）を説明するために使用されることができる３ＧＰＰ用語である。
【０２２０】
[0223]基地局は、トランシーバ基地局、無線基地局、アクセスポイント（ＡＰ）、無線トランシーバ、ノードＢ、ｅノードＢ（ｅＮＢ）、ホームノードＢ、ホームｅノードＢ、または何らかの他の適切な専門用語で当業者によって呼ばれ得るか、それらを含み得る。基地局のための地理的カバレッジエリアは、このカバレッジエリアの一部分だけを構成する複数のセクタに分割され得る。ここで説明した１つまたは複数のワイヤレス通信システムは、異なるタイプの基地局（例えば、マクロまたはスモールセル基地局）を含み得る。ここで説明したＵＥは、マクロｅＮＢ、スモールセルｅＮＢ、中継基地局、等を含む、様々なタイプの基地局およびネットワーク機器と通信することが可能であり得る。異なる技術のための地理的カバレッジエリアが重複し得る。いくつかのケースでは、異なるカバレッジエリアが異なる通信技術に関連し得る。いくつかのケースでは、ある通信技術のためのカバレッジエリアは、別の技術に関連したカバレッジエリアと重複し得る。異なる技術は、同じ基地局にまたは異なる基地局に関連し得る。
【０２２１】
[0224]マクロセルは、概して、比較的広い地理的エリア（例えば、半径数キロメートル）をカバーし、ネットワークプロバイダにサービス加入しているＵＥによる無制限のアクセスを可能にし得る。スモールセルは、マクロセルと同じまたは異なる（例えば、ライセンス、アンライセンス、等の）周波数帯域で動作し得る、マクロセルと比較して、より低い電力の基地局である。スモールセルは、様々な例によれば、ピコセル、フェムトセル、およびマイクロセルを含み得る。ピコセルは、例えば、狭い地理的エリアをカバーし得、ネットワークプロバイダにサービス加入しているＵＥによる無制限のアクセスを可能にし得る。フェムトセルもまた狭い地理的エリア（例えば、自宅）をカバーし得、このフェムトセルと関連性のあるＵＥ（例えば、クローズド加入者グループ（ＣＳＧ）中のＵＥ、自宅にいるユーザのためのＵＥ、等）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセル（例えば、ＣＣ）をサポートし得る。ＵＥは、マクロｅＮＢ、スモールセルｅＮＢ、中継基地局、等を含む様々なタイプの基地局およびネットワーク機器と通信することが可能であり得る。
【０２２２】
[0225]ここで説明した１つまたは複数のワイヤレス通信システムは、同期動作または非同期動作をサポートし得る。同期動作の場合、基地局は、同様のフレームタイミングを有し得、異なる基地局からの送信が時間的にほぼ揃えられ得る。非同期動作の場合、基地局は、異なるフレームタイミングを有し得、異なる基地局からの送信は、時間的に揃えらないであろう。ここで説明した技法は、同期動作または非同期動作のいずれに対しても使用され得る。
【０２２３】
[0226]ここで説明したＤＬ送信は、順方向リンク送信とも呼ばれ得、ＵＬ送信は、逆方向リンク送信とも呼ばれ得る。例えば、図１および２のワイヤレス通信システム１００および２００を含む、ここで説明した各通信リンクは、１つまたは複数のキャリアを含み得、ここで、各キャリアは、複数のサブキャリア（例えば、異なる周波数の波形信号）から成る信号であり得る。各変調された信号は、異なるサブキャリア上で送られ得、制御情報（例えば、基準信号、制御チャネル、等）、オーバヘッド情報、ユーザデータ、等を搬送し得る。ここで説明した通信リンク（例えば、図１の通信リンク１２５）は、（例えば、対のスペクトルリソースを使用する）周波数分割複信（ＦＤＤ）または（例えば、対でないスペクトルリソースを使用する）ＴＤＤ動作を使用して、双方向通信を送信し得る。フレーム構造が、ＦＤＤ（例えば、フレーム構造タイプ１）およびＴＤＤ（例えば、フレーム構造タイプ２）のために定義され得る。
【０２２４】
[0227]ゆえに、本開示の態様は、コンテンションベースＰＵＳＣＨを提供し得る。これらの方法が、可能なインプリメンテーションを説明すること、および、動作およびステップが、他のインプリメンテーションが可能になるように、再配列されるかまたは他の方法で修正され得ることは留意されるべきである。いくつかの例では、これら方法のうちの２つ以上からの態様が組み合わせられ得る。
【０２２５】
[0228]ここでの開示に関連して説明された、実例となる様々なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、ディスクリートゲートまたはトランジスタロジック、ディスクリートハードウェアコンポーネント、あるいはここで説明した機能を実行するように設計されたこれらの任意の組合せでインプリメントまたは実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいは任意の他のそのような構成）としてインプリメントされ得る。ゆえに、ここで説明した機能は、少なくとも１つの集積回路（ＩＣ）上で、１つまたは複数の他の処理ユニット（またはコア）によって実行され得る。様々な例では、異なるタイプのＩＣ（例えば、構造化／プラットフォームＡＳＩＣ、ＦＰＧＡ、または別のセミカスタムＩＣ）が使用され得、これらは、当技術分野で知られている任意の方法でプログラムされ得る。各ユニットの機能はまた、１つまたは複数の汎用または専用プロセッサによって実行されるようにフォーマットされた、メモリにおいて具現化された命令で、全体的にまたは部分的にインプリメントされ得る。
【０２２６】
[0229]当業者に知られているかまたは後に知られることとなる、本開示全体にわたって説明された様々な態様の要素と構造的および機能的に同等なものはすべて、参照によってここに明確に組み込まれ、そして特許請求の範囲によって包含されるよう意図されている。さらに、ここでの開示はいずれも、そのような開示が特許請求の範囲に明示的に記載されているかどうかにかかわらず、公に献呈されるよう意図されるものではない。「モジュール」、「メカニズム」、「要素」、「デバイス」、「コンポーネント」、等の用語は、「手段」という用語の代用にはならないであろう。そのため、請求項の要素が「〜のための手段」という表現を使用して明確に記載されていない限り、それらの要素はいずれもミーンズプラスファンクションとして解釈されるべきではない。
【０２２７】
[0230]添付の図では、同様のコンポーネントまたは特徴は、同じ参照ラベルを有し得る。さらに、同じタイプの様々なコンポーネントは、参照ラベルの後に、ダッシュと、同様の構コンポーネントを区別する第２のラベルとを続けることによって区別され得る。第１の参照ラベルだけが本明細書で使用される場合、その説明は、第２の参照ラベルにかかわらず、第１の参照ラベルが同じである同様のコンポーネントのうちのいずれに対しても適用可能である。
【図１】
2019502312.tif 000007
【図２】
2019502312.tif 000008
【図３】
2019502312.tif 000009
【図４】
2019502312.tif 000010
【図５】
2019502312.tif 000011
【図６】
2019502312.tif 000012
【図７】
2019502312.tif 000013
【図８】
2019502312.tif 000014
【図９】
2019502312.tif 000015
【図１０】
2019502312.tif 000016
【図１１】
2019502312.tif 000017
【図１２】
2019502312.tif 000018
【図１３】
2019502312.tif 000019
【図１４】
2019502312.tif 000020
【図１５】
2019502312.tif 000021
【図１６】
2019502312.tif 000022
【図１７】
2019502312.tif 000023
【図１８】
2019502312.tif 000024
【図１９】
2019502312.tif 000025
【図２０】
2019502312.tif 000026
【図２１】
2019502312.tif 000027
【図２２】
2019502312.tif 000028
【図２３】
2019502312.tif 000029
【国際調査報告】
2019502312.tif 000030
2019502312.tif 000031
2019502312.tif 000032